(57)【要約】  チャネル状態情報構成パラメーターを構成することが、ユーザー機器アップリンクフィードバック情報を削減することができる。ユーザー機器は、１つ以上の基準に基づいて繰り返し因数を適応させることによって、アップリンクフィードバック情報をネットワークノードに送信することができる。繰り返し因数は、ユーザー機器及び／又はユーザー機器に関連したネットワークノードによって決定することができる。したがって、アップリンクフィードバック情報を報告する頻度を削減することは、電力使用量、信号干渉を削減するができ、電池寿命を増加させることができる。【選択図】図４
2020533867.tif 000002
【特許請求の範囲】
【請求項１】
プロセッサを備えるモバイルデバイスによって、無線ネットワークのネットワークデバイスに送信されるチャネル品質データを求めることと、
前記ネットワークデバイスへの前記チャネル品質データの送信の繰り返しに適用可能な繰り返し因数に関連した繰り返しデータに基づいて、チャネルを介した前記ネットワークデバイスへのアップリンク送信に関連したフィードバックデータの送信の前記繰り返し因数を、前記モバイルデバイスによって決定することであって、前記ネットワークデバイスに送信される前記繰り返し因数は、前記チャネル品質データと異なるハイブリッド自動再送要求データに関連したものであることと、
前記繰り返し因数を前記決定することに応答して、前記モバイルデバイスによって前記繰り返し因数を前記ネットワークデバイスに送信することと、
を含む、方法。
【請求項２】
前記ネットワークデバイスは第１のネットワークデバイスであり、前記方法は、
前記モバイルデバイスによって、前記第１のネットワークデバイスではない前記無線ネットワークの第２のネットワークデバイスに前記繰り返し因数を送信すること、
を更に含む、請求項１に記載の方法。
【請求項３】
前記チャネル品質データは、前記モバイルデバイスと前記ネットワークデバイスとの間の前記チャネルの品質を表す、請求項１に記載の方法。
【請求項４】
前記繰り返し因数は、前記第２のネットワークデバイスの処理能力に基づいている、請求項２に記載の方法。
【請求項５】
前記繰り返し因数を前記ネットワークデバイスに前記送信することは、前記モバイルデバイスの状態の変化を前記ネットワークデバイスに通知する否定応答データの送信を、第１の値から前記第１の値よりも低い第２の値に削減する、請求項１に記載の方法。
【請求項６】
前記繰り返し因数は、前記ネットワークデバイスに対する前記モバイルデバイスのロケーションに基づいている、請求項１に記載の方法。
【請求項７】
前記繰り返し因数は、前記チャネルを介して前記ネットワークデバイスと通信するモバイルデバイスの数に基づいており、前記チャネルは、アップリンク送信に関連したアップリンクチャネルである、請求項１に記載の方法。
【請求項８】
プロセッサと、
前記プロセッサによって実行されると、動作の遂行を容易にする実行可能命令を記憶するメモリと、
を備え、
前記動作は、
無線ネットワークのネットワークデバイスのアップリンク制御チャネルのアップリンクフィードバックに関連したアップリンクフィードバックデータを前記無線ネットワークの第２のネットワークデバイスに送信するようにモバイルデバイスを構成することと、
繰り返し値に関連した基準に基づいて、前記第２のネットワークデバイスへの前記アップリンクフィードバックデータの送信を繰り返すために前記モバイルデバイスによって用いられる前記繰り返し値を決定することであって、前記第２のネットワークデバイスに送信される前記繰り返し値は、チャネル品質データと異なるハイブリッド自動再送要求データに関連したものであることと、
前記繰り返し値を前記決定することに応答して、前記繰り返し値に従って前記アップリンクフィードバックデータを送信するように前記モバイルデバイスに前記繰り返し値を送信することと、
を含む、システム。
【請求項９】
前記繰り返し値を前記送信することは、前記アップリンク制御チャネルを介したアップリンク送信に関連した電力の削減を容易にする、請求項８に記載のシステム。
【請求項１０】
前記繰り返し値を前記送信することは、前記モバイルデバイスによる電池電力使用量の削減を容易にする、請求項８に記載のシステム。
【請求項１１】
前記繰り返し値は第１の繰り返し値であり、前記構成することは、前記モバイルデバイスが前記第２のネットワークデバイスの第２のロケーションに対する第１のロケーションにいると判断されたことに基づいて、前記第１の繰り返し値よりも低い第２の繰り返し値を用いて前記モバイルデバイスを構成することを含む、請求項８に記載のシステム。
【請求項１２】
前記動作は、
前記モバイルデバイスの第１のロケーションが前記モバイルデバイスの第２のロケーションよりも前記ネットワークデバイスに近いとの表示に基づいて、前記モバイルデバイスによって用いられる前記繰り返し値を減少させること、
を更に含む、請求項８に記載のシステム。
【請求項１３】
動作は、
前記繰り返し値を前記減少させることに応答して、前記モバイルデバイスからの前記アップリンクフィードバックデータの送信の頻度の削減を容易にすること、
を更に含む、請求項１２に記載のシステム。
【請求項１４】
前記動作は、
前記モバイルデバイスの第１のロケーションが、前記モバイルデバイスの第２のロケーションよりも前記ネットワークデバイスから遠いとの表示に基づいて、前記モバイルデバイスによって用いられる前記繰り返し値を増加させること、
を更に含む、請求項８に記載のシステム。
【請求項１５】
モバイルデバイスのプロセッサによって実行されると、動作の遂行を容易にする実行可能命令を含む機械可読記憶媒体であって、前記動作は、
無線ネットワークのネットワークデバイスに送信されるチャネル品質データを求めることと、
前記ネットワークデバイスへのアップリンク送信を介したフィードバックデータの送信とともに用いられる繰り返し因数に関連した基準を表す基準データに基づいて、前記繰り返し因数を生成することであって、前記繰り返し因数は、ハイブリッド自動再送要求データに関連したものであることと、
前記繰り返し因数を前記生成することに応答して、前記繰り返し因数に従った送信を容易にすることと、
を含む、機械可読記憶媒体。
【請求項１６】
前記基準は第１の基準であり、前記第１の基準は、前記モバイルデバイスのロケーションに関連したものであり、第２の基準が、前記ネットワークデバイスの受信機性能に関連したものである、請求項１５に記載の機械可読記憶媒体。
【請求項１７】
前記ネットワークデバイスは第１のネットワークデバイスであり、前記受信機性能は、第１の受信機の第１の受信機性能であり、前記第１の受信機性能は、第２のネットワークデバイスに関連した第２の受信機の第２の受信機性能と比較され、受信機比較結果を与える、請求項１６に記載の機械可読記憶媒体。
【請求項１８】
前記繰り返し因数は第１の繰り返し因数であり、前記動作は、
前記受信機比較結果に基づいて、前記第１の繰り返し因数よりも低い第２の繰り返し因数を選択して、前記ネットワークデバイスへの前記フィードバックデータの前記送信に関連した頻度を削減すること、
を更に含む、請求項１７に記載の機械可読記憶媒体。
【請求項１９】
前記第１のネットワークデバイスに関連した受信機は、前記モバイルデバイスによって送信される送信信号によって引き起こされる干渉を低減するように構成される、請求項１８に記載の機械可読記憶媒体。
【請求項２０】
前記第２のネットワークデバイスに関連した前記第２の受信機は、前記モバイルデバイスによって送信される送信信号からの干渉をキャンセルするように構成可能な拡張受信機である、請求項１７に記載の機械可読記憶媒体。
【発明の詳細な説明】
【技術分野】
【０００１】
［関連出願の相互参照］
本出願は、「CONFIGURATION OF REPETITION FACTORS FOR TRANSMITTING FEEDBACK DATA FOR 5G OR OTHER NEXT GENERATION NETWORK OF REPETITION」と題する２０１７年９月８日に出願の米国特許出願第１５／６９９，６５０号の優先権を主張し、その出願は引用することにより本明細書の一部をなす。
【０００２】
本開示は、包括的には、無線ネットワークの繰り返し因数の構成を容易にすることに関する。例えば、本開示は、繰り返し因数に従って５Ｇネットワーク又は他の次世代ネットワークのフィードバックデータを送信することを容易にすることに関する。
【背景技術】
【０００３】
第５世代（５Ｇ：5th generation）無線システムは、第４世代（４Ｇ：4th generation）の現在の電気通信規格を上回るモバイル電気通信規格の次の主要なフェーズを表している。５Ｇ計画は、より高速のピークインターネット接続速度よりもむしろ、エリア単位ごとのモバイルブロードバンドユーザーをより多くすることを可能にするとともに、より多くの又は無制限のデータ量の消費を可能にする、現在の４Ｇよりも高い容量を目的としている。これによって、利用者人口の大部分が、ワイヤレスフィディリティホットスポットの到達範囲外にいるときも、自身のモバイルデバイスを用いて１日に数時間高精細メディアをストリーミングすることが可能になる。５Ｇの研究及び開発は、４Ｇ機器よりも低コスト、低電池消費、及び低レイテンシーを目的とした、モノのインターネット（Internet of things）としても知られているマシンツーマシン通信のサポートの改善も目的としている。
【０００４】
繰り返し因数に関係した上記の背景は、幾つかの現在の課題の状況的な概略を提供することのみを目的としており、網羅することを目的としたものではない。他の状況的な情報は、以下の詳細な説明を検討することで更に明確に理解することができる。
【０００５】
本主題の開示の非限定的かつ非網羅的な実施形態は、以下の図を参照して述べられ、図において、同様の参照符号は、別途指定されない限り種々の図全体を通して同様の部品を指す。
【図面の簡単な説明】
【０００６】
【図１】ネットワークノードデバイス（例えば、ネットワークノード）及びユーザー機器（ＵＥ：user equipment）が本開示の種々の態様及び実施形態を実施することができる一例示の無線通信システムを示す図である。
【図２】ノードデバイスと通信するＵＥの一例示の概略システムブロック図である。
【図３】セル内のＵＥロケーションに応じた可変繰り返し因数の一例示の概略システムブロック図である。
【図４】物理アップリンク制御チャネル送信用の最小のＣＱＩフィードバックサイクル、ＣＱＩ繰り返し因数、及びＨＡＲＱ−ＡＣＫ繰り返し因数の一例示の概略システムブロック図である。
【図５】ＵＥによって繰り返し因数を決定するための、ノードデバイスと通信するＵＥの一例示の概略システムブロック図である。
【図６】ノードデバイスによって繰り返し因数を決定するためのノードデバイスと通信するＵＥの一例示の概略システムブロック図である。
【図７】１つ以上の実施形態による繰り返し因数を決定するモバイルデバイスの一例示のフロー図である。
【図８】１つ以上の実施形態による繰り返し因数を決定するノードデバイスの一例示のフロー図である。
【図９】１つ以上の実施形態による繰り返し因数を決定するモバイルデバイスの一例示のフロー図である。
【図１０】１つ以上の実施形態による繰り返し因数を決定するモバイルデバイスの一例示のフロー図である。
【図１１】本明細書において説明される１つ以上の実施形態による、セキュア無線通信を容易にするシステムアーキテクチャに連動するように動作可能な一例示のモバイルハンドセットの一例示のブロック図である。
【図１２】本明細書において説明される１つ以上の実施形態による、セキュア無線通信を容易にするシステムアーキテクチャに連動するように動作可能な一例示のコンピューターの一例示のブロック図である。
【発明を実施するための形態】
【０００７】
以下の説明では、種々の実施形態の十分な理解を提供するために、非常に多くの具体的な詳細が述べられている。しかしながら、当業者であれば、本明細書に記載された技法は、これらの具体的な詳細のうちの１つ以上がなくても実施することもできるし、他の方法、構成要素、材料等を用いて実施することもできることを認識するであろう。それ以外の場合には、よく知られた構造、材料、又は動作は、幾つかの態様を不明瞭にすることを回避するために詳細に図示も記載もされていない。
【０００８】
本明細書全体を通して「１つの実施形態」又は「一実施形態」をいうとき、これは、その実施形態に関して説明される特定の特徴、構造、又は特性が少なくとも１つの実施形態に含まれることを意味する。したがって、本明細書全体を通して様々な箇所に語句「１つの実施形態において／では」、「１つの態様において／では」又は「一実施形態において／では」が登場するが、これらは、必ずしも全てが同じ実施形態を指しているとは限らない。さらに、特定の特徴、構造、又は特性は、１つ以上の実施形態において任意の適した方法で組み合わせることができる。
【０００９】
本明細書において利用される場合、用語「構成要素」、「システム」、「インターフェース」等は、コンピューター関連エンティティ、ハードウェア、ソフトウェア（例えば、実行中のもの）、及び／又はファームウェアを指すように意図されている。例えば、構成要素は、プロセッサ、プロセッサ上で動作しているプロセス、オブジェクト、実行形式ファイル、プログラム、記憶デバイス、及び／又はコンピューターとすることができる。例示として、サーバー上で動作しているアプリケーション及びそのサーバーは、構成要素とすることができる。１つ以上の構成要素は、プロセス内に存在することができ、構成要素は、１つのコンピューターに局在することもできるし、２つ以上のコンピューター間に分散することもできる。
【００１０】
さらに、これらの構成要素は、種々のデータ構造体が記憶された種々の機械可読媒体から実行することができる。構成要素は、１つ以上のデータパケット（例えば、ローカルシステム内、分散システム内の別の構成要素と、及び／又は、ネットワーク、例えば、インターネット、ローカルエリアネットワーク、ワイドエリアネットワーク等にわたって信号を介して他のシステムと相互作用する或る構成要素からのデータ）を有する信号等に従ってローカルプロセス及び／又はリモートプロセスを介して通信することができる。
【００１１】
別の例として、構成要素は、電気回路機構又は電子回路機構によって動作される機械部分によって提供される特定の機能を有する装置とすることができる。この電気回路機構又は電子回路機構は、１つ以上のプロセッサによって実行されるソフトウェアアプリケーション又はファームウェアアプリケーションによって動作させることができる。これらの１つ以上のプロセッサは、装置の内部又は外部に存在することができ、ソフトウェアアプリケーション又はファームウェアアプリケーションの少なくとも一部を実行することができる。更に別の例として、構成要素は、機械部分を有しない電子構成要素を通じて特定の機能を提供する装置とすることができる。この電子構成要素は、当該電子構成要素の機能を少なくとも部分的に与えるソフトウェア及び／又はファームウェアを実行する１つ以上のプロセッサを含むことができる。一態様では、構成要素が、例えば、クラウドコンピューティングシステム内の仮想機械を介して電子構成要素をエミュレーションすることができる。
【００１２】
用語「例示的な」及び／又は「例証的な」は、一例、実例又は例示として機能することを意味するために本明細書に用いられる。誤解を避けるために、本明細書に開示された主題は、そのような例によって限定されるものではない。加えて、「例示的な」及び／又は「例証的な」として本明細書に記載されたいずれの態様又は設計も、必ずしも、他の態様又は設計よりも好ましいもの又は有利なものと解釈されるべきでなく、また、当業者に知られている例示的な均等の構造及び技法を除外することを意味するものでもない。さらに、用語「含む／備える（includes）」、「有する（has）」、「包含する（contains）」、及び他の同様の用語が詳細な説明又は特許請求の範囲のいずれかにおいて用いられる限りにおいて、そのような用語は、オープンな移行語としての用語「備える／含む（comprising）」と同様に、任意の追加の要素又は他の要素を除外しない包括的なものであることが意図されている。
【００１３】
本明細書において用いられる場合、用語「推論する」又は「推論」は、一般に、イベント及び／又はデータを介して取得された一組の知見から、システム、環境、ユーザー、及び／又は意図の状態を理論的に論じる、すなわち、推論するプロセスを指す。取得されたデータ及びイベントは、ユーザーデータ、デバイスデータ、環境データ、センサーからのデータ、センサーデータ、アプリケーションデータ、暗黙的なデータ、明示的なデータ等を含むことができる。推論は、例えば、データ及びイベントの検討に基づいて、特定の状況又は動作を特定するのに用いることもできるし、対象となる状態の確率分布を生成することもできる。
【００１４】
推論は、一組のイベント及び／又はデータから上位レベルのイベントを構成するのに用いられる技法を指すこともできる。そのような推論は、一組の観察されたイベント及び／又は記憶されたイベントデータと、それらのイベントが時間的に近接して相関しているか否かと、それらのイベント及びデータが１つ又は幾つかのイベントソース及びデータソースからのものであるか否かとから、新たなイベント又は動作の構築をもたらす。開示された主題に関する自動的な動作及び／又は推論された動作の実行に関して、種々の分類方式及び／又は分類システム（例えば、サポートベクターマシン、ニューラルネットワーク、エキスパートシステム、ベイジアン信念ネットワーク、ファジー論理、及びデータ融合エンジン）を用いることができる。
【００１５】
加えて、開示された主題は、標準的なプログラミング技法及び／又はエンジニアリング技法を用いて、開示された主題を実施するようにコンピューターを制御するソフトウェア、ファームウェア、ハードウェア、又はそれらの任意の組み合わせを作製する方法、装置、又は製造品として実施することができる。本明細書において用いられる場合、用語「製造品」は、任意のコンピューター可読デバイス、機械可読デバイス、コンピューター可読キャリア、コンピューター可読媒体、又は機械可読媒体からアクセス可能なコンピュータープログラムを包含することを目的としたものである。例えば、コンピューター可読媒体は、磁気記憶デバイス、例えば、ハードディスク、フロッピーディスク、磁気ストリップ（複数の場合もある）；光ディスク（例えば、コンパクトディスク（ＣＤ：compact disk）、デジタルビデオディスク（ＤＶＤ：digital video disc）、Ｂｌｕ−ｒａｙ  Ｄｉｓｃ（商標）（ＢＤ））；スマートカード；フラッシュメモリデバイス（例えば、カード、スティック、キードライブ）；及び／又は、記憶デバイス及び／又は上記コンピューター可読媒体の任意のものをエミュレーションする仮想デバイスを含むことができるが、これらに限定されるものではない。
【００１６】
概略として、５Ｇネットワーク又は他の次世代ネットワークの繰り返し因数に従ってフィードバックデータを送信することを容易にする種々の実施形態が、本明細書において説明される。説明を簡単にするために、方法（又はアルゴリズム）は、一連の動作として描写及び記載される。種々の実施形態は、例示されたこれらの動作によって及び／又は動作の順序によって限定されるものではないことが理解及び認識されるであろう。例えば、動作は、種々の順序で、及び／又は、並行して、及び本明細書に提示又は記載されていない他の動作とともに行うことができる。さらに、全ての例示された動作が、方法を実施するのに必要とされるとは限らない場合がある。加えて、方法は、代替的に、状態図を介した一連の相互関係のある状態又はイベントとして表すことができる。加えて、以下に説明される方法は、そのような方法論をコンピューターに移送及び転送することを容易にする製造品（例えば、機械可読記憶媒体）に記憶することが可能である。本明細書において用いられるような場合、用語「製造品」は、非一時的機械可読記憶媒体を含む任意のコンピューター可読デバイス、キャリア、又は媒体からアクセス可能なコンピュータープログラムを包含することを目的としたものである。
【００１７】
種々の態様及び実施形態が、５Ｇ、ユニバーサルモバイル電気通信システム（ＵＭＴＳ：Universal Mobile Telecommunications System）、及び／又はロングタームエボリューション（ＬＴＥ：Long Term Evolution）、又は他の次世代ネットワークに関して本明細書に説明されているが、開示された態様は、５Ｇ、ＵＭＴＳの実施態様、及び／又はＬＴＥの実施態様に限定されるものではないことに留意されたい。なぜならば、本技法は、３Ｇシステム、４Ｇシステム又はＬＴＥシステムにおいても適用することができるからである。例えば、開示された実施形態の態様又は特徴は、ほぼいずれの無線通信技術においても利用することができる。そのような無線通信技術は、ＵＭＴＳ、符号分割多重アクセス（ＣＤＭＡ：Code Division Multiple Access）、Ｗｉ−Ｆｉ、ワールドワイドインターオペラビリティフォーマイクロウェーブアクセス（ＷｉＭＡＸ：Worldwide Interoperability for Microwave Access）、汎用パケット無線サービス（ＧＰＲＳ：General Packet Radio Service）、拡張ＧＰＲＳ、第３世代パートナーシッププロジェクト（３ＧＰＰ：Third Generation Partnership Project）、ＬＴＥ、第３世代パートナーシッププロジェクト２（３ＧＰＰ２：Third Generation Partnership Project 2）ウルトラモバイルブロードバンド（ＵＭＢ：Ultra Mobile Broadband）、高速パケットアクセス（ＨＳＰＡ：High Speed Packet Access）、発展型高速パケットアクセス（ＨＳＰＡ＋）、高速ダウンリンクパケットアクセス（ＨＳＤＰＡ：High-Speed Downlink Packet Access）、高速アップリンクパケットアクセス（ＨＳＵＰＡ：High-Speed Uplink Packet Access）、Ｚｉｇｂｅｅ、又は別のＩＥＥＥ８０２．ＸＸ技術を含むことができる。加えて、本明細書に開示されたほぼ全ての態様は、レガシー電気通信技術において利用することができる。
【００１８】
本明細書では、５Ｇネットワーク又は他の次世代ネットワークの繰り返し因数に従ってフィードバックデータを送信することを容易にすることができるシステム、方法、製造品、及び他の実施形態又は実施態様が説明される。繰り返し因数に従ってフィードバックデータを送信することを容易にすることは、通信ネットワークとの接続を有する任意のタイプのデバイス（例えば、モバイルハンドセット、コンピューター、ハンドヘルドデバイス等）、任意のモノのインターネット（ＩＯＴ）デバイス（例えば、トースター、コーヒーメーカー、ブラインド、音楽プレーヤー、スピーカー等）、及び／又は任意のコネクテッドビークル（connected vehicles：ネットワーク接続された運送手段）（自動車、飛行機、宇宙ロケット、及び／又は他の少なくとも部分的に自動化された運送手段（例えば、ドローン））とともに実施することができる。幾つかの実施形態では、非限定的な用語「ユーザー機器（ＵＥ）」が用いられる。この用語は、セルラー通信システム又はモバイル通信システムにおいて無線ネットワークノードと通信する任意のタイプの無線デバイスを指すことができる。ＵＥの例は、ターゲットデバイス、デバイスツーデバイス（Ｄ２Ｄ：device to device）ＵＥ、マシンタイプＵＥすなわちマシンツーマシン（Ｍ２Ｍ：machine to machine）通信が可能なＵＥ、ＰＤＡ、タブレット、モバイル端末、スマートフォン、ラップトップ組込型機器（ＬＥＥ：laptop embedded equipped）、ラップトップ搭載型機器（ＬＭＥ：laptop mounted equipment）、ＵＳＢドングル等である。用語「要素」、「素子」及び「アンテナポート」は、区別なく用いることができ、本開示において同じ意味を有することができることに留意されたい。実施形態は、単一のキャリアに適用可能であるだけでなく、ＵＥのマルチキャリア（ＭＣ：multicarrier）動作又はキャリアアグリゲーション（ＣＡ：carrier aggregation）動作にも適用可能である。用語「キャリアアグリゲーション（ＣＡ）」は、「マルチキャリアシステム」、「マルチセル動作」、「マルチキャリア動作」、「マルチキャリア」送信及び／又は受信とも呼ばれる（例えば、区別なく呼ばれる）。
【００１９】
幾つかの実施形態では、非限定的な用語「無線ネットワークノード」又は単に「ネットワークノード」が用いられる。この用語は、他のネットワークノード若しくはネットワーク要素に接続されたＵＥをサービングする任意のタイプのネットワークノード、又はＵＥが信号を受信する送信元である任意の無線ノードを指すことができる。無線ネットワークノードの例は、ＮｏｄｅＢ、基地局（ＢＳ：base station）、ＭＳＲ  ＢＳ等のマルチスタンダード無線（ＭＳＲ：multi-standard radio）ノード、ｅＮｏｄｅＢ、ネットワークコントローラー、無線ネットワークコントローラー（ＲＮＣ：radio network controller）、基地局コントローラー（ＢＳＣ：base station controller）、中継器、ドナーノード制御中継器、ベーストランシーバー基地局（ＢＴＳ：base transceiver station）、アクセスポイント（ＡＰ：access point）、送信ポイント、送信ノード、ＲＲＵ、ＲＲＨ、分散アンテナシステム（ＤＡＳ：distributed antenna system）におけるノード等である。
【００２０】
クラウド無線アクセスネットワーク（ＲＡＮ：radio access network）は、５Ｇネットワークにおけるソフトウェア定義ネットワーク（ＳＤＮ：software-defined network）及びネットワーク機能仮想化（ＮＦＶ：network function virtualization）等の概念の実施を可能にすることができる。本開示は、５Ｇネットワークの包括的なチャネル状態情報フレームワーク設計を容易にすることができる。本開示の幾つかの実施形態は、ネットワーク内及びネットワークとトラフィックの宛先との間においてトラフィックのルーティングを制御することができるＳＤＮコントローラーを備えることができる。ＳＤＮコントローラーは、５Ｇネットワークアーキテクチャと併合して、オープンアプリケーションプログラミングインターフェース（「ＡＰＩ：application programming interface」）を介したサービス配信を可能にし、ネットワークコアをオールインターネットプロトコル（「ＩＰ：internet protocol」）でクラウドベースのソフトウェア駆動型電気通信ネットワークに移行させることができる。ＳＤＮコントローラーは、サービス品質並びにトラフィック管理及びルーティング等のポリシーをエンドツーエンドで同期及び管理することができるように、ポリシー課金ルール機能（「ＰＣＲＦ：policy and charging rules function」）ネットワーク要素とともに動作することもできるし、これに取って代わることもできる。
【００２１】
データセントリックアプリケーションの膨大な需要を満たすために、４Ｇ規格を、ｎｅｗ  ｒａｄｉｏ（ＮＲ：新無線）アクセスとも呼ばれる５Ｇに適用（正：applied to）することができる。５Ｇネットワークは、次のもの、すなわち、数万人のユーザー用にサポートされる数十メガビット毎秒のデータレート；同じオフィスフロアにいる数十人のワーカーに１ギガビット毎秒を同時に提供することができること；大規模なセンサー配備のために数十万個の同時接続をサポートすることができること；４Ｇと比較してスペクトル効率を高めることができること；改善されたカバレッジ；高められたシグナリング効率；及びＬＴＥと比較して削減されたレイテンシーを含むことができる。ＯＦＤＭ等のマルチキャリアシステムでは、各サブキャリアは、帯域幅（例えば、サブキャリア間隔）を占有することができる。キャリアが同じ帯域幅間隔を用いている場合、これは、単一のニューメロロジーとみなすことができる。一方、キャリアが異なる帯域幅及び／又は間隔を占有する場合、これは、複数のニューメロロジーとみなすことができる。
【００２２】
ダウンリンク参照信号（reference signals：基準信号）は、ダウンリンク時間周波数グリッド内の特定のリソース要素を占有する既定の信号である。異なる方法で送信することができ、受信端末が異なる目的に用いることができる幾つかのタイプのダウンリンク参照信号がある。チャネル状態情報参照信号（ＣＳＩ−ＲＳ：Channel state information reference signals）は、端末がチャネル状態情報（ＣＳＩ：channel-state information）及びビーム固有情報（例えば、ビーム参照信号受信電力）を取得するのに用いることができる。５Ｇでは、ＣＳＩ−ＲＳは、ユーザー機器（ＵＥ）に固有のものとすることができ、そのため、大幅に低い時間／周波数密度を有することができる。ＵＥ固有参照信号と呼ばれることもある復調参照信号（ＤＭ−ＲＳ：Demodulation reference signals）は、端末がデータチャネルのチャネル推定に用いることができる。ラベル「ＵＥ固有」は、各復調参照信号が単一の端末によるチャネル推定を目的としているということに関するものである。復調参照信号は、その後、データトラフィックチャネル送信用にその端末に割り当てられたリソースブロック内で送信することができる。上述した参照信号以外に、他の参照信号、すなわち、種々の目的に用いることができるマルチキャストブロードキャスト単一周波数ネットワーク（ＭＢＳＦＮ：multi-cast broadcast single frequency network）参照信号及び位置決定参照信号がある。
【００２３】
チャネル品質インジケーター（ＣＱＩ：channel quality indicator）は、５Ｇダウンリンク（ＤＬ：downlink）チャネル品質の重要なインジケーターであり、ＤＬスケジューリングを決定するのに用いることができる。ＣＱＩは、構成されたダウンリンクアンテナ送信モードに応じて、他のチャネル状態情報（ＣＳＩ）とともに、１つ又は幾つかのアップリンクの物理アップリンク制御チャネル（ＰＵＣＣＨ：physical uplink control channels）上でＵＥからｇＮｏｄｅＢにシグナリングすることができる。他のタイプのＣＳＩの例として、ランク情報又はランクインジケーター（ＲＩ：rank indicator）及びプリコーディング行列インジケーター（ＰＣＩ：precoding matrix indicator）等がある。しかしながら、幾つかのＵＥからのＰＵＣＣＨ送信は、アップリンク干渉レベル、すなわち、より具体的には、ｇＮｏｄｅＢにおいてアップリンクで受信されるライズオーバーサーマル（ＲｏＴ：rise over thermal）を増加させる可能性がある。その結果、アップリンクの間、全てのユーザーは、同じリソース上で送信することができ、ユーザーは、カザック（cazac）系列と呼ばれる非直交スクランブル符号によって分離される。したがって、アップリンクＮＲ送信は、干渉により制限された無線リソースを共有する。したがって、アップリンク周波数における干渉は、アップリンク送信チャネル上で高い又は少なくとも所望の信号対干渉比（ＳＩＲ：signal-to-interference ratio）レベルを確保するとともに、安定したシステム動作を維持するために低減されるべきである。ネットワークノードは、ＣＳＩに関係したパラメーターを制御することができる。これらのパラメーターは、サービングネットワークによって無線リソース制御（ＲＲＣ：radio resource control）シグナリング（上位レイヤ）を介してＵＥにシグナリングされる。これらのパラメーターは、ＣＱＩフィードバックサイクル、ＣＱＩ繰り返し因数、及び／又はハイブリッド自動再送要求肯定応答因数等を含むことができる。
【００２４】
ＣＱＩフィードバックサイクルパラメーターは、ＵＥが新たなＣＱＩ報告を送信すべき頻度及び周期を記述している。このパラメーターは、ＲＲＣプロトコルを介して構成可能であり、サポートされた値は、例えば、｛０，２，４，８，１０，２０，４０，８０，１６０｝ｍｓである。シグナリング値０ｍｓは、ＵＥがいずれのＣＱＩ報告も送信すべきでないことを示すのに用いることができる。ＣＱＩ繰り返し因数（例えば、Ｎ＿ｃｑｉ＿ｔｒａｎｓｍｉｔ）は、或る特定のＣＱＩ報告を送信すべき回数を記述している。ＣＱＩ情報は、全部でＮ＿ｃｑｉ＿ｔｒａｎｓｍｉｔ−１回繰り返すことができ、ネットワークによってＲＲＣを介してＵＥにおいて構成することができる値の集合は｛１，２，３，及び４｝である。
【００２５】
ＨＡＲＱ−ＡＣＫ繰り返し因数（例えば、Ｎ＿ａｃｋｎａｃｋ＿ｔｒａｎｓｍｉｔ）は、ＵＥが、トランスポートブロックに関連付けられた（同じ）ＨＡＲＱ−ＡＣＫメッセージを送信すべき回数を記述している。換言すれば、ＨＡＲＱ−ＡＣＫ送信は、全部でＮ＿ａｃｋｎａｃｋ＿ｔｒａｎｓｍｉｔ−１回繰り返すことができる。サポートされた値は、｛１，２，３，及び４｝であり、この値は、ＲＲＣを介してネットワークによって構成される。したがって、ＵＥアップリンク（ＵＬ）フィードバック報告（例えば、ＣＳＩ、ＨＡＲＱ  ＡＣＫ／ＮＡＣＫ）は、ＵＥがアップリンクフィードバック情報をネットワークノードに送信する際に用いる繰り返し因数に関連付けられた１つ以上の基準に基づいて削減することができる（正：can be reduced）。この方法は、ネットワークノード及び／又はＵＥにおいて実施することができる。
【００２６】
この方法は、特に、ＵＥが基地局（正：base station）に近いとき、及び／又は、無線状態が良好であるときに、アップリンクフィードバック情報（例えば、ＣＳＩ）を報告する頻度を削減することができる。さらに、これは、アップリンク制御チャネルの送信電力を削減し、その結果、他のデータトラフィックチャネル又は音声チャネルに用いることができる電力が保存される。加えて、ＵＬフィードバック情報（例えば、ＨＡＲＱ  Ａ／Ｎ、ＣＳＩ等）の送信頻度が少なくなると、他のアップリンクユーザーに対する干渉が最小化され、ＵＬフィードバック送信の頻度の削減によって、ＵＥ電池寿命が節約され、基地局における処理が減少する。
【００２７】
ＵＥ、第１のネットワークノード、又は第２のネットワークノードは、１つ以上のタイプのアップリンクフィードバック情報をネットワークノード（複数の場合もある）に送信するためにＵＥによって用いられる１つ以上の繰り返し因数を決定する１つ以上の基準を用いることができる。これらの基準は、ＵＥロケーション、報告されたＣＳＩ値（複数の場合もある）、ＵＬ送信電力、ＵＥ電池寿命、基地局（ＢＳ）受信機タイプ、ＢＳ処理能力、ネットワークノードを同時に用いているＵＥの数、ＵＬ干渉レベル、及び／又は上述した基準の組み合わせを含むことができるが、これらに限定されるものではない。
【００２８】
繰り返し因数を決定する１つの例示的な基準は、セル内のＵＥロケーションである。例えば、ＵＥがネットワークノード（すなわち、第２のネットワークノード、例えば、ＮｏｄｅＢ）に近い場合、又は、ＵＥがノード（例えば、ＵＥ又は第１のネットワークノード）を中心にしたセルにある場合、第１のネットワークノードは、より低い値の繰り返し因数を用いてＵＥを構成することができる。他方、ＵＥがネットワークノードからより遠くに離れている場合、ＣＱＩデータが第２のネットワークノードによって受信される機会を増やすために、より高い値の繰り返し因数をこのノードによって構成することができる。したがって、セル中心に近いＵＥほど、ＵＥフィードバック情報の送信を削減する（例えば、ＣＱＩ報告を削減する）ことができ、それによって、シグナリングオーバーヘッドと、第２のネットワークノードにおいて受信されるアップリンク干渉とが低減される。
【００２９】
ＵＥロケーションを特定するのに用いることができる幾つかの方法がある。例えば、ＵＥ及び／又は基地局の無線測定値（複数の場合もある）を、ＵＥロケーションを求めるのに用いることができる。そのようなＵＥ無線測定値の例は、参照信号受信電力（ＲＳＲＰ：reference signals received power）、参照信号受信品質（ＲＳＲＱ：reference signals received quality）、ＣＱＩ、パス損失、信号対干渉雑音比（ＳＩＮＲ：signal interference to noise ratio）、信号対雑音比（ＳＮＲ：signal to noise ratio）、ブロックエラーレート（ＢＬＥＲ：block error rate）等を含むことができる。ＵＥ無線測定は、ＵＥ送信電力及びＵＥ電力ヘッドルーム（例えば、対数スケールによるＵＥ最大電力とＵＥ送信電力との間の差）のように、アップリンク信号に対しても行うことができる。無線測定値は、ＵＥとサービング基地局との間の一方向伝播遅延、ＵＥとサービング基地局との間で送信された信号のラウンドトリップ、ＵＥ  Ｒｘ−Ｔｘ時間差、ＢＳ  Ｒｘ−Ｔｘ時間差等のタイミング測定値とすることもできる。これらの測定値のほとんどは、ＵＥが第１のネットワークノードに報告することもでき、第１のネットワークノードは、これらの測定値を用いて繰り返し因数を決定することができる。例えば、ＵＥによって測定されたＣＰＩＣＨ  ＲＳＣＰ（ＨＳＰＡ内）が閾値を下回るか又は上回る場合には、ＵＥは、基地局に近いとみなされる。この場合、より低い繰り返し因数（例えば、１又は２）を用いることができる。一方、サービングセルから測定されたＣＰＩＣＨ  ＲＳＣＰが或る特定の閾値を下回る場合には、ＵＥは、基地局から遠いとみなされる。この場合、より大きな値（例えば、３又は４）を、１つ以上のタイプのアップリンクフィードバック信号を送信するための繰り返し因数に用いることができる。幾つかの測定値を組み合わせて、ＵＥロケーションをより正確に求めることもできる。例えば、ＲＳＣＰが閾値を上回り、ＵＥ送信電力が閾値を下回る場合には、ＵＥは、サービング基地局に近いと仮定することができる。したがって、より小さな値の繰り返し因数を用いることができる。
【００３０】
セル内のＵＥロケーションは、位置決定方法のうちの１つ又は組み合わせを用いることによって直接求めることもできる。これらの位置決定方法には、全地球的航法衛星システム（ＧＮＳＳ：global navigation satellite system）、アシスト型ＧＮＳＳ（Ａ−ＧＮＳＳ：assisted GNSS）、観測到着時間差（ＯＴＤＯＡ：observed time difference of arrival）、拡張セルＩＤ（Ｅ−ＣＩＤ：enhanced cell ID）等が含まれるが、これらに限定されるものではない。ＯＴＤＯＡ及びＥ−ＣＩＤ等の位置決定方法は、さらに、参照信号測定値、タイミング測定値、基地局において測定される信号の到来角等のＵＥ及び／又は基地局の無線測定値に依拠する。
【００３１】
ＵＥがサービング基地局（すなわち、第２のネットワークノード）に近いことを暗黙的に判断する別の基準は、近傍セルリスト（ＮＣＬ：neighbor cell list）のサイズ及び／又はＵＥによって特定された近傍セルの最大数である。ＮＣＬは、第１のネットワークノードによって、１つ以上の近傍セルに対して無線測定を行うＵＥにシグナリングすることができる。一般に、サービングネットワークノードに近いＵＥには、より小さなＮＣＬがシグナリングされるのに対して、セルのエッジに位置するＵＥには、より大きなＮＣＬがシグナリングされる。ＮＣＬのサイズ及び／又は特定された近傍セルの数が閾値を下回る場合には、対応するＵＥは第２のネットワークノードに近いと結論付けることができる。そうでない場合には、ＵＥは、セルエッジに位置するとみなすことができる。無線測定値、位置決定方法及びＮＣＬに基づいて求められたロケーション、及び／又は特定された近傍セルの最大数のうちの２つ以上を任意に組み合わせたものを、セル内のＵＥロケーション及び対応する繰り返し因数をより正確に決定するために合わせて用いることができる。
【００３２】
ＣＳＩ推定値は、ＵＥによって測定されたＳＩＮＲに基づくことができる。ＣＳＩ（例えば、ＣＱＩ）が閾値よりも大きい場合には、無線状態がより良好でロバストであると結論付けることができる。周波数分割複信（ＦＤＤ：frequency-division duplexing）及び時分割複信（ＴＤＤ：time division duplexing）の双方において、パス損失は、アップリンク及びダウンリンク中において同じ又は同様とすることができる。特に、ＴＤＤシステム（例えば、ＬＴＥ  ＴＤＤ等）では、チャネル相互依存性に基づいて（正：based on）、アップリンク及びダウンリンクにおける高速フェージング状態も同じである。繰り返し因数は、準静的に（例えば、緩慢に）構成され、したがって、パス損失に基づくことができる。その結果、ＣＳＩ報告に基づくロバストな無線状態では（例えば、ＣＱＩが閾値を上回っているとき）、より低い値の繰り返し因数を用いることができる。そうでない場合、すなわち、無線状態があまりロバストでないとき、より大きな値の繰り返し因数を用いることができる。ＣＳＩの使用は、セルエッジにおけるＳＩＮＲが非常に低いことに起因して、ＵＥロケーションを求める基準と同様とすることができる。繰り返し因数の調整は、或る期間（例えば、Ｔ０）にわたって収集されたＣＳＩ報告の統計に基づくこともできる。例えば、ＵＥが報告したＣＱＩが少なくとも期間Ｔ０にわたって閾値を下回ったままである場合にのみ、ＵＥはセルエッジにいるとみなされる。その場合、より大きな繰り返し因数を用いることができる。
【００３３】
アップリンクフィードバック信号の送信に用いられる繰り返し因数は、アップリンク送信電力に影響を与える可能性がある。例えば、繰り返し（正：repetition）因数が大きいほど、ＵＥは、同じタイプのアップリンクフィードバック信号を送信するのにより多くの電力を送信しなければならない。これは、前述したようなＵＥロケーションを求めるためのＵＥ送信電力の使用と混同されるべきではない。ＵＥ送信電力又は予想ＵＥ送信電力が閾値を上回っている場合、ノードは、繰り返し因数を閾値よりも低く（例えば、２又は１に）下げる決定を行うことができ、また、逆の場合も同様である。現在のＵＥ送信電力又は予想ＵＥ送信電力も描写するＵＥ電力ヘッドルーム等の同様の測定値も、繰り返し因数を調整するのに用いることができる。
【００３４】
繰り返し因数を決定するのに用いることができる別の基準は、ＵＥ電池寿命又はＵＥ電池ステータスである。送信電力の増加だけでなく処理の増加に起因して、より大きな値の繰り返し因数は、より多くのＵＥ電池寿命を消耗する可能性がある。したがって、ＵＥ電池寿命又は利用可能なＵＥ電池電力が閾値を下回っている場合、ノードは、より低い繰り返し因数の使用を決定することができる。
【００３５】
第２のネットワークノードが、拡張ＢＳ受信機（進化型受信機、干渉緩和受信機、干渉キャンセル受信機等としても知られている）を有する場合、第１のネットワークノード又は第２のネットワークノードは、１つ以上のタイプのアップリンクフィードバック情報を送信するのにより低い値の繰り返し因数の使用を決定することができる。一方、第２のネットワークノードがベースライン受信機を有する場合、第１のネットワークノードは、より高い値の繰り返し因数の使用を決定することができる。ＢＳ受信機タイプ情報（例えば、「０」はベースライン受信機、「１」は拡張受信機）もＵＥにシグナリングすることができ、したがって、ＵＥは、この受信情報に基づいて繰り返し因数を自律的に決定することが可能になる。
【００３６】
拡張ＢＳ受信機は、受信信号が弱く、及び／又は、干渉による影響を受けている場合であっても、この信号を復号することができる。拡張ＢＳ受信機は、他のＵＥによって送信された信号によって引き起こされる干渉を緩和、低減、及び／又はキャンセルすることによってこれを実現する。逆に、ベースライン受信機は、他のＵＥ（例えば、アップリンクフィードバック信号がＢＳに受信されることを目的としたＵＥ以外のＵＥ）によって引き起こされる干渉を緩和することができない。
【００３７】
第２のネットワークノード（すなわちＢＳ）における同じタイプのフィードバック情報の繰り返される内容の受信、復号、及び処理は、メモリユニットの処理及び使用を第１のネットワークノードよりも多く必要とする。例えば、第２のネットワークノードは、全ての内容を受信し、それら内容をメモリに記憶し、或る特定の組み合わせ方式を用いることによってそれら内容を処理し、最終結果を用いてフィードバック情報を特定する。第１のネットワークノードは、繰り返し因数を決定するＢＳ処理能力にもアクセスすることができる。例えば、第１のネットワークノードは、少なくとも幾つかの特定のＵＥの繰り返し因数をＢＳ処理能力に応じて適応させることができる。処理能力が限られている（例えば、処理ユニット及び／又はメモリユニットがより少ない）場合、少なくとも幾つかの特定のＵＥ（例えば、サービングＢＳに近いＵＥ）には、より小さな繰り返し因数を構成することができる。第１のネットワークノードは、ＢＳ処理能力情報（例えば、「０」は低い処理能力を表し、「１」は高い処理能力を表す）をＵＥにシグナリングすることもでき、ＵＥは、この受信情報を用いて、繰り返し因数を自律的に決定することができる。
【００３８】
第２のネットワークノードにおけるアップリンクフィードバック情報の受信及び処理の複雑さは、ＵＬフィードバック情報を同時に送信するＵＥの数とともに増加する。この複雑さは、より大きな繰り返し因数が幾つかのＵＥに用いられる場合に更に増加する。第１のネットワークノードは、全て又は幾つかのＵＥの繰り返し因数を、セル内でＵＬフィードバック情報を同時に送信するように構成されたＵＥの数に応じて適応させることができる。例えば、ＵＬフィードバック情報を同時に送信するように構成されたＵＥの総数が、閾値を上回っている場合、第１のネットワークノードは、少なくとも幾つかの特定のＵＥの繰り返し因数を小さくすることを決定することができる。第１のネットワークノードは、サービングＢＳ（すなわち、第２のネットワークノード）に近いＵＥの繰り返し因数（正：repetition factor）を小さくすることができる。第１のネットワークノードは、セル内に同時に存在するＵＥの総数に関する閾値もシグナリングすることができる。この閾値を受信した単数又は複数のＵＥは、１つ以上のタイプのＵＬフィードバック情報を第２のネットワークノードに送信するためにＵＥによって用いられる繰り返し因数を自律的に適応させるのに、この受信した閾値を考慮することができる。
【００３９】
より大きな繰り返し数を有するＵＬフィードバック情報の送信は、アップリンク干渉を増加させる可能性があり、これは、第２のネットワークノードにおける受信信号の品質を劣化させる可能性がある。その結果、第１のネットワークノードは、１つ以上のＵＥの繰り返し因数をアップリンク干渉に応じて適応させることができる。例えば、第２のネットワークノードにおいて遭遇したＵＬ干渉が、閾値を上回っている（例えば、ＬＴＥでは、−９０ｄＢｍ／１８０ＫＨｚを上回っている）場合、第１のネットワークノードは、より小さな繰り返し因数（例えば、１又は２）を、ＵＥによるＵＬフィードバック情報の送信に用いることができる。上述した場合には、第１のネットワークノードは、サービング基地局に近いＵＥの繰り返し因数を小さくすることもできる。第１のネットワークノードは、閾値（アップリンク受信干渉に関する閾値）を少なくとも幾つかの特定のＵＥにシグナリングすることもできる。この閾値を受信したＵＥは、１つ以上のタイプのＵＬフィードバック情報を第２のネットワークノードに送信するためにこのＵＥによって用いられる繰り返し因数を自律的に適応させるのに、この閾値を考慮することができる。
【００４０】
第２のネットワークノードへのアップリンクフィードバック情報の送信用の繰り返し因数を決定するために、ノード及び／又はＵＥは、上述した基準の任意の組み合わせを用いることができる。また、異なるタイプのＵＬフィードバック情報を送信するために同じＵＥに同じ又は異なる基準の組み合わせを用いることができる。例えば、ＵＥがセルエッジに存在するが、ＵＥ電池が不十分であり、及び／又は、アップリンク干渉が閾値を上回っている場合には、ノードは、より小さな繰り返し因数、例えば１又は２を用いることができる。低いＳＮＲにおいては、２つのアルゴリズムの間の性能は同じである。したがって、受信機が、長期のＳＮＲを計算し、このＳＮＲが既定の閾値よりも小さいか否かを調べる場合、受信機は、ＲＳＲＰに基づいてビーム選択を行うことができ（２段階手法）、それによって、ビーム選択に必要とされる計算数を削減することができる。ＵＥは、周期的に、長期のＳＮＲを計算し、ＲＳＲＰ又はビームインデックス、ＲＩ、ＰＭＩ及びＣＱＩの共同選択に基づいてビーム選択を行うか否かを決定することができる（単一段階手法）。ネットワークノードは、ＣＳＩに関係したパラメーターを求めると、ＲＲＣ又は上位レイヤシグナリングを用いてこの情報をＵＥに伝達することができる。別の実施形態では、ネットワークは、ダウンリンク制御チャネルの一部としてこの情報を伝達することができる。
【００４１】
１つの実施形態では、無線ネットワークのネットワークデバイスに送信されるチャネル品質データを求めることを含む方法が、本明細書において説明される。ネットワークデバイスへのチャネル品質データの送信の繰り返しに適用可能な繰り返し因数に関連した繰り返しデータに基づいて、本方法は、チャネルを介したネットワークデバイスへのアップリンク送信に関連したフィードバックデータの送信の繰り返し因数を決定することを含むことができる。ネットワークデバイスに送信される繰り返し因数は、チャネル品質データと異なるハイブリッド自動再送要求データに関連したものである。さらに、繰り返し因数を決定することに応答して、本方法は、繰り返し因数をネットワークデバイスに送信することを含むことができる。
【００４２】
別の実施形態によれば、システムが、無線ネットワークのネットワークデバイスのアップリンク制御チャネルのアップリンクフィードバックに関連したアップリンクフィードバックデータを無線ネットワークの第２のネットワークデバイスに送信するようにモバイルデバイスを構成することを容易にすることができる。繰り返し値に関連した基準に基づいて、本システムは、第２のネットワークデバイスへのアップリンクフィードバックデータの送信を繰り返すためにモバイルデバイスによって用いられる繰り返し値を決定することを容易にすることができる。第２のネットワークデバイスに送信される繰り返し値は、チャネル品質データと異なるハイブリッド自動再送要求データに関連したものである。加えて、繰り返し値を決定することに応答して、本システムは、繰り返し値に従ってアップリンクフィードバックデータを送信するようにモバイルデバイスに繰り返し値を送信することができる。
【００４３】
更に別の実施形態によれば、無線ネットワークのネットワークデバイスに送信されるチャネル品質データを求めることを含む動作を実行することができる機械可読記憶媒体が、本明細書において説明される。ネットワークデバイスへのアップリンク送信を介したフィードバックデータの送信とともに用いられる繰り返し因数に関連した基準を表す基準データに基づいて、本機械可読記憶媒体は、繰り返し因数を生成することができる。この繰り返し因数は、ハイブリッド自動再送要求データに関連したものである。さらに、繰り返し因数を生成することに応答して、本機械可読記憶媒体は、繰り返し因数に従った送信を容易にすることができる。
【００４４】
これらの実施形態又は実施態様及び他の実施形態又は実施態様は、図面を参照して以下でより詳細に説明される。
【００４５】
次に図１を参照すると、本開示の種々の態様及び実施形態による一例示の無線通信システム１００が示されている。１つ以上の実施形態において、無線通信システム１００は、１つ以上のユーザー機器ＵＥ１０２を備えることができる。非限定的な用語「ユーザー機器」は、セルラー通信システム又はモバイル通信システムにおけるネットワークノードと通信することができる任意のタイプのデバイスを指すことができる。ＵＥは、垂直要素及び水平要素を有する１つ以上のアンテナパネルを有することができる。ＵＥの例として、ターゲットデバイス、デバイスツーデバイス（Ｄ２Ｄ）ＵＥ、マシンタイプＵＥすなわちマシンツーマシン（Ｍ２Ｍ）通信が可能なＵＥ、パーソナルデジタルアシスタント（ＰＤＡ：personal digital assistant）、タブレット、モバイル端末、スマートフォン、ラップトップ搭載型機器（ＬＭＥ）、モバイル通信に対応したユニバーサルシリアルバス（ＵＳＢ）ドングル、モバイル機能を有するコンピューター、セルラーフォン等のモバイルデバイス、ラップトップ組込型機器（ＬＥＥ）（モバイルブロードバンドアダプター等）を有するラップトップ、モバイルブロードバンドアダプターを有するタブレットコンピューター、ウェアラブルデバイス、仮想現実（ＶＲ：virtual reality）デバイス、ヘッドアップディスプレイ（ＨＵＤ：heads-up display）デバイス、スマートカー、マシンタイプ通信（ＭＴＣ：machine-type communication）デバイス等がある。ユーザー機器ＵＥ１０２は、無線で通信するＩＯＴデバイスも含むことができる。
【００４６】
種々の実施形態において、システム１００は、１つ以上の無線通信ネットワークプロバイダーによってサービングされる無線通信ネットワークであるか、又はこの無線通信ネットワークを含む。例示の実施形態において、ＵＥ１０２は、ネットワークノード１０４を介して無線通信ネットワークに通信可能に結合することができる。ネットワークノード（例えば、ネットワークノードデバイス）は、ユーザー機器（ＵＥ）と通信することができ、それゆえ、ＵＥとより広範なセルラーネットワークとの間の接続性が提供される。ＵＥ１０２は、送信タイプ推奨データをネットワークノード１０４に送信することができる。この送信タイプ推奨データは、閉ループＭＩＭＯモード及び／又はランク１プリコーダーモードを介してデータを送信する推奨を含むことができる。
【００４７】
ネットワークノードは、キャビネット及び他の保護筐体と、アンテナマストと、種々の送信動作（例えば、ＭＩＭＯ動作）を実行する複数のアンテナとを有することができる。ネットワークノードは、アンテナの構成及びタイプに応じて、セクターとも呼ばれる幾つかのセルをサービングすることができる。例示の実施形態において、ＵＥ１０２は、ネットワークノード１０４に対して無線リンクを介して通信データを送信及び／又は受信することができる。ネットワークノード１０４からＵＥ１０２への破線の矢印線は、ダウンリンク（ＤＬ）通信を表し、ＵＥ１０２からネットワークノード１０４への実線の矢印線は、アップリンク（ＵＬ）通信を表している。
【００４８】
システム１００は、ネットワークノード１０４を介して、ＵＥ１０２を含む種々のＵＥに無線通信サービスを提供することを容易にする１つ以上の通信サービスプロバイダーネットワーク１０６、及び／又は、１つ以上の通信サービスプロバイダーネットワーク１０６内に含まれる種々の更なるネットワークデバイス（図示せず）を更に含むことができる。１つ以上の通信サービスプロバイダーネットワーク１０６は、セルラーネットワーク、フェムトネットワーク、ピコセルネットワーク、マイクロセルネットワーク、インターネットプロトコルネットワーク、Ｗｉ−Ｆｉサービスネットワーク、ブロードバンドサービスネットワーク、エンタープライズネットワーク、クラウドベースネットワーク等を含むが、それに限定されない、種々のタイプの異種ネットワークを含むことができる。例えば、少なくとも１つの実施態様において、システム１００は、種々の地理的エリアに及ぶ大規模無線通信ネットワークとすることができるか又は大規模無線通信ネットワークを含むことができる。この実施態様によれば、１つ以上の通信サービスプロバイダーネットワーク１０６は、無線通信ネットワーク及び／又は無線通信ネットワークの種々の更なるデバイス及び構成要素（例えば、更なるネットワークデバイス及びセル、更なるＵＥ、ネットワークサーバーデバイス等）とすることができるか又はそれらを含むことができる。ネットワークノード１０４は、１つ以上のバックホールリンク１０８を介して１つ以上の通信サービスプロバイダーネットワーク１０６に接続することができる。例えば、１つ以上のバックホールリンク１０８は、Ｔ１／Ｅ１電話線、デジタル加入者線（ＤＳＬ：digital subscriber line）（例えば、同期又は非同期）、非対称ＤＳＬ（ＡＤＳＬ）、光ファイバーバックボーン、同軸ケーブル等の有線リンク構成要素を含むことができる。１つ以上のバックホールリンク１０８は、限定はしないが、地上エアインターフェース又はディープスペースリンク（deep space links）（例えば、ナビゲーション用の衛星通信リンク）を含むことができる見通し線（ＬＯＳ：line-of-sight）又は非ＬＯＳリンク等の無線リンク構成要素も含むことができる。
【００４９】
無線通信システム１００は、種々のセルラーシステム、技術及び変調モードを使用して、デバイス（例えば、ＵＥ１０２及びネットワークノード１０４）間の無線通信を容易にすることができる。例示の実施形態は、５Ｇ  ｎｅｗ  ｒａｄｉｏ（ＮＲ）システム向けに説明されている場合があるものの、実施形態は、任意の無線アクセス技術（ＲＡＴ）又はＵＥが複数の搬送波を用いて動作するマルチＲＡＴシステム、例えば、ＬＴＥ  ＦＤＤ／ＴＤＤ、ＧＳＭ／ＧＥＲＡＮ、ＣＤＭＡ２０００等に適用可能であるものとすることができる。
【００５０】
例えば、システム１００は、モバイル通信用グローバルシステム（ＧＳＭ）、ユニバーサルモバイル電気通信サービス（ＵＭＴＳ）、ロングタームエボリューション（ＬＴＥ）、ＬＴＥ周波数分割複信（ＬＴＥ  ＦＤＤ）、ＬＴＥ時分割複信（ＴＤＤ）、高速パケットアクセス（ＨＳＰＡ）、符号分割多重アクセス（ＣＤＭＡ）、ワイドバンドＣＤＭＡ（ＷＣＭＤＡ）、ＣＤＭＡ２０００、時分割多重アクセス（ＴＤＭＡ：time division multiple access）、周波数分割多重アクセス（ＦＤＭＡ：frequency division multiple access）、マルチキャリア符号分割多重アクセス（ＭＣ−ＣＤＭＡ：multi-carrier code division multiple access）、シングルキャリア符号分割多重アクセス（ＳＣ−ＣＤＭＡ：single-carrier code division multiple access）、シングルキャリアＦＤＭＡ（ＳＣ−ＦＤＭＡ：single-carrier FDMA）、直交周波数分割多重（ＯＦＤＭ：orthogonal frequency division multiplexing）、離散フーリエ変換拡散ＯＦＤＭ（ＤＦＴ拡散ＯＦＤＭ：discrete Fourier transform spread OFDM）、シングルキャリアＦＤＭＡ（ＳＣ−ＦＤＭＡ：single carrier FDMA）、フィルターバンクベースマルチキャリア（ＦＢＭＣ：Filter bank based multi-carrier）、ゼロテイルＤＦＴ拡散ＯＦＤＭ（ＺＴ  ＤＦＴ−ｓ−ＯＦＤＭ：zero tail DFT-spread-OFDM）、汎用周波数分割多重（ＧＦＤＭ：generalized frequency division multiplexing）、フィックスドモバイルコンバージェンス（ＦＭＣ：fixed mobile convergence）、ユニバーサルフィックスドモバイルコンバージェンス（ＵＦＭＣ：universal fixed mobile convergence）、ユニークワードＯＦＤＭ（ＵＷ−ＯＦＤＭ：unique word OFDM）、ユニークワードＤＦＴ拡散ＯＦＤＭ（ＵＷ  ＤＦＴ拡散ＯＦＤＭ：unique word DFT-spread-OFDM）、サイクリックプレフィックスＯＦＤＭ（ＣＰ−ＯＦＤＭ）、リソースブロックフィルタード（resource-block-filtered）ＯＦＤＭ、Ｗｉ  Ｆｉ、ＷＬＡＮ、ＷｉＭａｘ等に従って動作することができる。しかしながら、システム１００の種々の特徴及び機能が特に説明され、ここで、システム１００のデバイス（例えば、ＵＥ１０２及びネットワークノード１０４）は、データシンボルを、複数の周波数サブキャリアを通じて同時に送信することができる１つ以上のマルチキャリア変調方式（例えば、ＯＦＤＭ、ＣＰ−ＯＦＤＭ、ＤＦＴ拡散ＯＦＭＤ、ＵＦＭＣ、ＦＭＢＣ等）を用いて無線信号を通信するように構成される。実施形態は、ＵＥのシングルキャリア及びマルチキャリア（ＭＣ）又はキャリアアグリゲーション（ＣＡ）動作に適用可能である。用語「キャリアアグリゲーション（ＣＡ）」は、「マルチキャリアシステム」、「マルチセル動作」、「マルチキャリア動作」、「マルチキャリア」送信及び／又は受信とも呼ばれる（例えば、区別なく呼ばれる）。幾つかの実施形態は、幾つかの搬送波上のマルチＲＡＢ（無線ベアラ）にも適用可能である（すなわち、データ＋音声が同時にスケジューリングされる）ことに留意されたい。
【００５１】
種々の実施形態において、システム１００は、５Ｇ無線ネットワーク接続特徴及び機能を提供及び使用するように構成することができる。５Ｇ無線通信ネットワークは、指数関数的に増加するデータトラフィックの需要を満たし、人々及びマシンが、実質上ゼロレイテンシーでギガビットデータレートを享受することを可能にすることを期待される。４Ｇと比較して、５Ｇは、より多様性のあるトラフィックシナリオをサポートする。例えば、４Ｇネットワークによってサポートされる従来のＵＥ（例えば、電話、スマートフォン、タブレット、ＰＣ、テレビジョン、インターネット対応テレビジョン等）間の種々のタイプのデータ通信に加えて、５Ｇネットワークは、無人運転車環境及びマシンタイプ通信（ＭＴＣ）に関連するスマートカー間のデータ通信をサポートするために使用することができる。これらの異なるトラフィックシナリオの極端に異なる通信ニーズを考慮して、マルチキャリア変調方式（例えば、ＯＦＤＭ及び関連する方式）の利益を保持しながら、トラフィックシナリオに基づいて波形パラメーターを動的に構成する能力は、５Ｇネットワークの高い速度／容量及び低レイテンシー要求に対する有意の寄与を提供することができる。帯域幅を幾つかの部分帯域に分割する波形を用いて、異なるタイプのサービスを、最も適した波形及びニューメロロジー（numerology）を有する異なる部分帯域内に収容することができ、それにより、５Ｇネットワークについて改善されたスペクトル利用がもたらされる。
【００５２】
データセントリックアプリケーションの需要を満たすために、提案された５Ｇネットワークの特徴は、向上したピークビットレート（例えば、２０Ｇｂｐｓ）、単位エリア当たりのより多くのデータ量（例えば、高システムスペクトル効率−例えば、ロングタームエボリューション（ＬＴＥ）システムのスペクトル効率の約３．５倍のスペクトル効率）、より多くのデバイス接続を同時かつ瞬時に可能にする高容量、より低い電池／電力消費（エネルギー及び消費コストを削減する）、ユーザーが位置する地理的領域を問わないより良好な接続性、より多くのデバイス数、より低いインフラ開発コスト、及び通信のより高い信頼性を含むことができる。したがって、５Ｇネットワークは、数十メガビット毎秒のデータレートが数万人のユーザーにサポートされること；例えば、同じオフィスフロアにいる数十人のワーカーに１ギガビット毎秒が同時に提供されること；大規模なセンサー配備のために数十万個の同時接続がサポートされること；改善されたカバレッジ；高められたシグナリング効率；ＬＴＥと比較して削減されたレイテンシーを可能にすることができる。
【００５３】
まもなく登場する５Ｇアクセスネットワークは、容量の増加に役立つようにより高い周波数（例えば、６ＧＨｚ超）を利用することができる。現在、ミリ波（ｍｍＷａｖｅ）スペクトルの大部分である３０ギガヘルツ（Ｇｈｚ）と３００Ｇｈｚとの間のスペクトル帯域は、十分に利用されていない。ミリ波は、１０ミリメートル〜１ミリメートルの範囲のより短い波長を有し、これらのｍｍＷａｖｅ信号は、厳しいパス損失、透過損失、及びフェージングを受ける。しかしながら、ｍｍＷａｖｅ周波数におけるより短い波長は、より多くのアンテナを同じ物理寸法内に詰め込むことも可能にし、これによって、大規模空間多重化及びより指向性の高いビームフォーミングが可能になる。
【００５４】
送信機及び受信機の双方が複数のアンテナを装備している場合、性能を改善することができる。マルチアンテナ技法は、無線通信システムのデータレート及び信頼性を大幅に向上させることができる。第３世代パートナーシッププロジェクト（３ＧＰＰ）において導入され、使用されてきた（ＬＴＥとともに備えられる）多入力多出力（ＭＩＭＯ：multiple input multiple output）技法の使用は、送信のスペクトル効率を改善することができ、それによって、無線システムの全体的なデータ搬送容量を大幅に増加させるマルチアンテナ技法である。多入力多出力（ＭＩＭＯ）技法の使用は、ｍｍＷａｖｅ通信を改善することができ、より高い周波数において動作するアクセスネットワークの潜在的に重要な構成要素として広く認識されてきた。ＭＩＭＯは、ダイバーシティ利得、空間多重化利得及びビームフォーミング利得を実現するのに用いることができる。これらの理由によって、ＭＩＭＯシステムは、第３世代無線システム及び第４世代無線システムの重要な部分であり、５Ｇシステムにおける使用に向けて計画されている。
【００５５】
次に図２を参照すると、システム２００を介してノードデバイスと通信するＵＥの一例示の概略システムブロック図が示されている。システム２００は、トランザクション（１）において参照信号（ＲＳ）をユーザー機器（例えば、ＵＥ１０２）に送信することができる（正：which can transmit）ネットワークノード（例えば、ネットワークノード１０６）を備える。この参照信号は、ビーム形成されたものとすることもできるし、ビーム形成されていないものとすることもできる。図２は、閉ループトランザクション図（例えば、シーケンスチャート）を示している。簡潔に説明すると、この技法では、参照信号が、ネットワークノードからＵＥに最初に送信される。この参照信号から、ＵＥは、チャネル推定値と、チャネル状態情報（ＣＳＩ）報告に必要とされるパラメーターとを計算することができる。ＬＴＥでは、ＣＳＩ報告は、チャネル品質インジケーター（ＣＱＩ）、プリコーディング行列インデックス（ＰＭＩ：precoding matrix index）、ランク情報（ＲＩ：rank information）等を含むことができる。ＣＳＩ報告は、周期的にフィードバックチャネルを介してネットワークノードに送信されるか、又は、オンデマンドベースＣＳＩ（例えば、非周期的ＣＳＩ報告）である。ネットワークノードスケジューラは、この情報を用いて、この特定のＵＥをスケジューリングするパラメーターを選ぶことができる。ネットワークノードは、物理ダウンリンク制御チャネル（ＰＤＣＣＨ：physical downlink control channel）と呼ばれるダウンリンク制御チャネル上でスケジューリングパラメーターをＵＥに送信することができる。その後、実際のデータ転送をネットワークノードからＵＥに物理ダウンリンク共有チャネル（ＰＤＳＣＨ：physical downlink shared channel）上で行うことができる。
【００５６】
ダウンリンク参照信号は、ダウンリンク時間周波数グリッド内の特定のリソース要素を占有する既定の信号である。参照信号は、ユーザー機器１０２のプロファイル又は或るタイプのモバイル識別子に関係したセル固有又はＵＥ固有のものとすることができる。異なる方法で送信され、受信端末が異なる目的に用いる幾つかのタイプのダウンリンク参照信号がある。チャネル状態情報参照信号（ＣＳＩ−ＲＳ）は、チャネル状態情報（ＣＳＩ）及びビーム固有情報（ビームＲＳＲＰ）を取得するために端末によって用いられることを特に目的としている。５Ｇでは、ＣＳＩ−ＲＳはＵＥ固有であり、そのため、大幅に低い時間／周波数密度を有することができる。ＵＥ固有参照信号と呼ばれることもある復調参照信号（ＤＭ−ＲＳ）は、端末によってデータチャネルのチャネル推定に用いられることを特に目的としている。ラベル「ＵＥ固有」は、各復調参照信号が単一の端末によるチャネル推定を目的としているということに関するものである。その固有の参照信号は、その後、データトラフィックチャネル送信用にその端末に割り当てられたリソースブロック内でのみ送信される。
【００５７】
この参照信号を受信した後、ブロック２０２において、ＵＥ１０２は、参照信号を評価し、ＣＳＩを計算することができる。このＣＳＩは、ＣＳＩフィードバック（例えば、ＣＳＩ報告）としてネットワークノードに送信することができる。ＣＳＩフィードバックは、チャネル状態情報のインジケーター（例えば、ＬＴＥではプリコーディング行列インジケーター（ＰＭＩ）として知られている）と、チャネル品質のインジケーター（例えば、ＬＴＥではチャネル品質インジケーター（ＣＱＩ）として知られている）と、ランクの表示（例えば、ＬＴＥではランクインジケーター（ＲＩ）として知られている）とを含むことができる。これらのそれぞれは、以下で更に論述される。
【００５８】
チャネル状態情報のインジケーター（例えば、ＬＴＥにおけるＰＭＩ）は、ネットワークノードとＵＥとの間で送信される種々のデータストリームの送信パラメーターの選択に用いることができる。コードブックベースのプリコーディングを用いる技法では、ネットワークノード及びＵＥは、規格の仕様に見ることができる異なるコードブックを用いる。これらのコードブックのそれぞれは、異なるタイプのＭＩＭＯ行列（例えば、２×２ＭＩＭＯのプリコーディング行列のコードブック）に関係している。コードブックは、ノードサイト及びＵＥサイトにおいて知られており（含まれている）、ネットワークノードのプリコーディング段階において信号を乗算されるプリコーディングベクトル及びプリコーディング行列のエントリを含むことができる。これらのコードブックエントリのうちのいずれを選択するかに関する決定は、ネットワークノードにおいて、ＵＥによって提供されたＣＳＩフィードバックに基づいて行われる。なぜならば、ＣＳＩは受信機では既知であるが、送信機では知られていないからである。参照信号の評価に基づいて、ＵＥは、適切なコードブックの中から適したプリコーディング行列の推奨（例えば、コードブックエントリのうちの１つにおけるプリコーダーのインデックスを指し示すもの）を含むフィードバックを送信することができる。プリコーディング行列を特定するこのＵＥフィードバックは、プリコーディング行列インジケーター（ＰＭＩ）と呼ばれる。ＵＥは、どのプリコーディング行列がネットワークノードとＵＥとの間の送信により適しているのかをこのように評価している。
【００５９】
加えて、ＣＳＩフィードバックは、ネットワーク側においてリンク適応するための、ネットワークノードとユーザー機器との間のチャネルのチャネル品質を示すチャネル品質のインジケーター（例えば、ＬＴＥでは、チャネル品質インジケーター（ＣＱＩ））を含むことができる。ＵＥが報告する値に応じて、ノードは、異なるトランスポートブロックサイズを有するデータを送信することができる。ノードは、ＵＥから高いＣＱＩ値を受信した場合には、より大きなトランスポートブロックサイズを有するデータを送信することができ、その逆の場合には、これとは逆になる。
【００６０】
ＣＳＩフィードバックには、ランクのインジケーター（ＬＴＥの専門用語ではランクインジケーター（ＲＩ））も含めることができる。このインジケーターは、チャネル行列のランクの表示を提供する。ランクは、上述したように、ネットワークノードとＵＥとの間で並列に又は並行して送信される異なる送信データストリーム（レイヤ）の数（換言すれば、空間レイヤの数）である。ＲＩは、ＣＳＩ報告メッセージの残りの部分のフォーマットを決定する。一例として、ＬＴＥの場合に、ＲＩが１であることが報告されると、ランク１コードブックＰＭＩが、１つのＣＱＩとともに送信され、ＲＩが２であるとき、ランク２コードブックＰＭＩ及び２つのＣＱＩが送信される。ＲＩは、ＰＭＩ及びＣＱＩのサイズを決定するので、受信機が、最初にＲＩを復号することができ、次に、これを用いてＣＳＩの残りの部分（上述したように、特にＰＭＩ及びＣＱＩを含む）を復号することができように、ＲＩは別個に符号化される。通常、ネットワークノードへのランク表示フィードバックは、ダウンリンクデータ送信における送信レイヤの選択に用いることができる。例えば、システムが、特定のＵＥについてＬＴＥ仕様における送信モード３（又は開ループ空間多重化）で構成されていても、同じＵＥが、ランク値のインジケーターを「１」としてネットワークノードに報告した場合、ネットワークノードは、送信ダイバーシティモードでデータをＵＥに送信することを開始することができる。ＵＥが「２」のＲＩを報告した場合、ネットワークノードは、ＭＩＭＯモード（例えば、ＬＴＥ仕様に記載されている送信モード３又は送信モード４）でダウンリンクデータを送信することを開始することができる。通常、ＵＥが、良好でない信号対雑音比（ＳＮＲ）を受け、送信されたダウンリンクデータの復号が困難であるとき、ＵＥは、ＲＩ値を「１」と指定することによってフィードバックの形態でネットワークノードに早期の警告を提供する。ＵＥが良好なＳＮＲを受けているとき、ＵＥは、ランク値を「２」と示してこの情報をネットワークノードに渡す。
【００６１】
ＵＥ１０２は、ＣＳＩフィードバックを計算した後、トランザクション（２）において、フィードバックチャネルを介してＣＳＩフィードバックを送信することができる。このフィードバックチャネルは、参照信号が送信されたチャネルと別のチャネルとすることができる。ネットワークノード１０６は、ＣＳＩフィードバックを処理して、送信スケジューリングパラメーター（例えば、ダウンリンク（ＤＬ）送信スケジューリングパラメーター）を求めることができる。これらの送信スケジューリングパラメーターは、ＵＥ１０２に特定のネットワークノードデバイスによる信号の変調及び符号化に適用可能な変調パラメーター及び符号化パラメーターを含む。
【００６２】
ネットワークノード１０６によるＣＳＩフィードバックのこの処理は、図２のブロック２０４に示すように、ＣＳＩフィードバックを復号することを含むことができる。ＵＥは、ＲＩを復号することができ、その後、復号された情報（例えば、ＣＳＩの取得されたサイズ）を用いて、ＣＳＩフィードバックの残りの部分（例えば、ＣＱＩ、ＰＭＩ等）を復号することができる。ネットワークノード１０４は、復号されたＣＳＩフィードバックを用いて、適した送信プロトコルを決定することができる。この送信プロトコルは、ネットワークノード１０６とＵＥ１０２との間の種々の送信の変調及び符号化、電力、物理リソースブロック（ＰＲＢ）等に適用可能な変調符号化方式（ＭＣＳ：modulation and coding schemes）を含むことができる。
【００６３】
ネットワークノード１０６は、トランザクション（３）において、ダウンリンク制御チャネルを介して上記パラメーターをＵＥ１０２に送信することができる。その後及び／又は同時に、トランザクション（４）において、トラフィックデータ（例えば、テキスト、電子メール、映像、オーディオファイル、ビデオ等に関係したデータ等の非制御データ）をネットワークノード１０６からＵＥ１０２にデータトラフィックチャネルを介して転送することができる。
【００６４】
次に図３を参照すると、セル内のＵＥロケーションに応じて可変の繰り返し因数の一例示の概略システムブロック図が示されている。システム３００はＵＥ１０２を備えることができ、セル内のＵＥ１０２のロケーションは、繰り返し因数を決定するのに用いることができる。図３に示すように、領域１内のＵＥ１０２１について、ＵＥ１０２１がネットワークノード１０６から或る特定の距離内にいるとの表示に基づいて、繰り返し因数１を用いてネットワークノード１０６を構成することができる。同様に、ＵＥ１０２２がネットワークノード１０６から或る特定の距離内にいるとの表示に基づいて、繰り返し因数２を用いて領域２内のＵＥ１０２２を構成することができる。さらに、ＵＥ１０２３がネットワークノード１０６から或る特定の距離内にいるとの表示に基づいて、繰り返し因数４を用いて領域３内のＵＥ１０２３を構成することができる。代替の実施形態では、セルを任意の数の領域に分割することができることに留意されたい。
【００６５】
次に図４を参照すると、物理アップリンク制御チャネル送信の最小ＣＱＩフィードバックサイクル、ＣＱＩ繰り返し因数、及びＨＡＲＱ−ＡＣＫ繰り返し因数の一例示の概略システムブロック図が示されている。図４は、ＣＱＩフィードバックサイクルが２ｍｓであり、ＣＱＩ繰り返し因数が２であり、ＨＡＲＱ−ＡＣＫ繰り返し因数が３であることを示している。
【００６６】
次に図５を参照すると、ＵＥによって繰り返し因数を決定するための、ノードデバイスと通信するＵＥの一例示の概略システムブロック図が示されている（正：is illustrated）。ＵＥ１０２は、第１のネットワークノード１０６によってサービングされる第１のセルによるサービングを受けることができる。ＵＥ１０２は、第１のタイプのアップリンクフィードバック情報の推定値を取得するか又は求めるように第１のネットワークノード１０６によって構成することができる。ＵＬフィードバック情報の例は、ＣＱＩ、ＨＡＲＱ  ＡＣＫ／ＮＡＣＫ、ＰＭＩ、ＲＩ、ＣＲＩ等である。ＵＥ１０２は、第２のアップリンクフィードバック情報を取得し、第２のネットワークノード６０２に送信するように構成することもできる。ＵＥ１０２は、複数のタイプのアップリンクフィードバック情報を取得し、第２のネットワークノードに送信するように構成することもできる。ＵＥ１０２は、１つ以上の基準に基づいて少なくとも第１の繰り返し因数（Ｋ１）を自律的に決定することもできるし、第１のネットワークノード１０６によって少なくともＫ１を用いて（例えば、Ｋ１値を決定する（５０２）ように）更に構成することもできる。Ｋ１の値は、ＵＥ１０２が、少なくとも第１のタイプのアップリンクフィードバック情報の同じ内容を繰り返し、この繰り返される内容を第２のネットワークノードに送信することに用いることができる。
【００６７】
同じアップリンクフィードバック信号の繰り返しは、第２のネットワークノードにおけるフィードバックの受信の信頼性を向上させることができる。用語「繰り返し因数」（冗長係数（redundancy factor）、冗長バージョン（redundancy version）としても知られている）は、用語「繰り返される内容」（冗長内容としても知られている）に関連付けることができる。繰り返される内容の送信情報は、同じメッセージ、送信機会、インスタンスにおいて、又は、複数のメッセージ、チャネル送信機会、若しくはインスタンスにわたって送信することができる。幾つかの実施形態では、複数のアップリンクフィードバック情報の繰り返される内容の送信にＫ１の同じ値（例えば、ＣＱＩ、ＨＡＲＱ  ＡＣＫ／ＮＡＣＫ等の送信に同じ値）を用いることができる。一方、幾つかの実施形態では、異なるタイプのアップリンクフィードバック情報の繰り返される内容の送信には、Ｋ１の異なる値（例えば、ＣＱＩ及びＨＡＲＱ  ＡＣＫ／ＮＡＣＫの送信には、それぞれＫ１＝２及びＫ１＝４）を用いることができる。
【００６８】
代替の実施形態では、ＵＥ１０２は、上述した基準のうちの任意の１つ又は組み合わせに基づいて、繰り返し因数（Ｋ１）を自律的に決定することができる。ＵＥ１０２は、既定のルールに従って及び／又は第１のネットワークノード１０６から受信された明示的な表示に基づいて、Ｋ１の値を自律的に決定することができる。例えば、既定のルールは、Ｋ１を決定するためにＵＥ１０２によって用いられる１つ以上の基準を事前に規定することができる。ＵＥ１０２は、既定の基準のいずれが、Ｋ１を決定するためにＵＥ１０２によって用いられるべきであるのかについての情報も受信することができる。ＵＥ１０２は、ＵＥ１０２がＫ１を自律的に決定し、１つ以上の目的にＫ１を用いることを許可されているという明示的な表示を用いて、第１のネットワークノード１０６によって構成することもできる。ＵＥ１０２は、ＵＥ１０２がＫ１の値を自律的に決定するのに必要とされるＵＬフィードバック情報のタイプ（複数の場合もある）を用いて、第１のネットワークノード１０６によって構成することもできる。ＵＥ１０２は、ＵＥ１０２がＫ１の値を決定するために１つ以上の基準を評価すべき期間（Ｔ０）に関係したパラメーターを用いることもできる。パラメーターＴ０は、事前に定めることもできるし、第１のネットワークノード１０６によって構成することもできる。
【００６９】
その結果、ＵＥ１０２は、次の目的のうちの１つ以上にＫ１の決定された値を用いることができる。すなわち、１）１つ以上のタイプのＵＬフィードバック情報（例えば、ＣＱＩ報告及び／又はＨＡＲＱ  ＡＣＫ／ＮＡＣＫ）を送信すること；２）Ｋ１の決定された値を第１のネットワークノード１０６に送信すること；３）Ｋ１の値を少なくとも１つの閾値Ｋ２と比較すること、に用いることができる。ＵＥ１０２は、Ｋ１を２つの閾値Ｋ２及びＫ３と更に比較することができる。閾値Ｋ２及びＫ３は、事前に定めることもできるし、第１のネットワークノード１０６によって構成することもできる。Ｋ１とＫ２との比較又はＫ１とＫ２及びＫ３との比較に基づいて、ＵＥ１０２は、追加の動作を開始することができる。そのような動作は、既定のルールに基づくこともできるし、第１のネットワークノードによって構成することもできる。そのような動作の例は、１）Ｋ１＜Ｋ２である場合にのみ、ＵＥが上記目的のうちの任意のもの（＃１及び／又は＃２）にＫ１を用いること；２）Ｋ１≧Ｋ２である場合にのみ、ＵＥが上記目的のうちの任意のもの（１及び／又は２）にＫ１を用いること；及び／又は３）Ｋ２≦Ｋ１≦Ｋ３である場合にのみ、ＵＥが上記目的のうちの任意のもの（＃１及び／又は＃２）にＫ１を用いることである。
【００７０】
次に図６を参照すると、ノードデバイスによって繰り返し因数を決定するための、ノードデバイスと通信するＵＥの一例示の概略システムブロック図が示されている（正：is illustrated）。別の実施形態では、第１のネットワークノード１０６（又は第２のネットワークノード）が、上記基準のうちの１つ以上を、繰り返し因数（Ｋ１）を決定するのに用いることができる。第２のネットワークノード６０２は、Ｋ１を決定し（６０４）、Ｋ１の値を第１のネットワークノード１０６に通知することができる（例えば、トランザクション１．１）。第１のネットワークノード１０６は、次に、Ｋ１又はＫ１に関連した情報を用いてＵＥ１０２を構成することができる（例えば、トランザクション１．２）。幾つかの実施形態では、第１のネットワークノード１０６は、Ｋ１を決定し（６０６）、Ｋ１又はＫ１に関連した情報を用いて、ＵＥ１０２（例えば、トランザクション１．２）及び第２のネットワークノード６０２（例えば、トランザクション１．３）を構成することができる。第２のネットワークノード６０２は、ＵＬフィードバック情報の繰り返される内容を復号するために、Ｋ１の値を認識することができる。一方、幾つかの実施形態では、第２のネットワークノード６０２が、Ｋ１を決定し、Ｋ１の決定された値又はＫ１に関連した情報を用いてＵＥ１０２を直接構成することができる（例えば、トランザクション１．４）。Ｋ１に関連した情報は、Ｋ１の既定の値のうちの１つの既定の識別子（ＩＤ）（例えば、Ｋ１＝１、２、４及び８にそれぞれ対応するＩＤ＃０、＃１、＃２、＃３）とすることができる。ネットワークノード（例えば、第１のネットワークノード又は第２のネットワークノード）は、繰り返し因数に関する１つ以上の閾値（例えば、Ｋ２及びＫ３）を用いてＵＥ１０２を構成することもできる。これらの閾値は、上述したように、ＵＥ１０２が、自身が決定した値Ｋ１を比較し、適切な動作（複数の場合もある）を行うために用いる（例えば、Ｋ１値を利用する（６０８））ことができる。
【００７１】
ネットワークノード（すなわち、第１のネットワークノード又は第２のネットワークノード）は、ＵＥ１０２によって決定され、報告された繰り返し因数を評価することもできる。１つの例示的な実施形態では、ネットワークノードは、ネットワークノード自体によって決定されたＫ１の値を用いてＵＥを構成することのみ行うことができる。別の例示的な実施形態では、ネットワークノードは、自身が決定したＫ１の値とＵＥ１０２が決定したＫ１の値とを比較する関数を用いることもできるし、この比較する演算を実行することもでき、この比較に基づいて或る動作を行うことができる。例えば、ＵＥ１０２及びネットワークノードが決定した繰り返し因数がそれぞれＫ１’及びＫ１”であると仮定する。最終値Ｋ１は、関数Ｋ１＝ｇ（Ｋ１’，Ｋ１”）に基づいて導出することができる。別の例では、第１のネットワークノードは、Ｋ１’＝Ｋ１”である場合に最終値Ｋ１を導出することができる。或いは、Ｋ１は、ｍｉｎ（Ｋ１’，Ｋ１”）、ｍａｘ（Ｋ１’，Ｋ１”）、ｍｅａｎ（Ｋ１’，Ｋ１”）に等しいものとすることもできる。
【００７２】
次に図７を参照すると、繰り返し因数を決定するモバイルデバイスの一例示のフロー図７００が示されている。要素７０２において、方法が、無線ネットワークのネットワークデバイス（例えば、ネットワークノード１０６）に送信されるチャネル品質データを（ＵＥ１０２を介して）求めることを含むことができる。ネットワークデバイス（例えば、ネットワークノード１０６）へのチャネル品質データの送信の繰り返しに適用可能な繰り返し因数に関連した繰り返しデータに基づいて、方法は、要素７０４において、チャネルを介したネットワークデバイス（例えば、ネットワークノード１０６）へのアップリンク送信に関連したフィードバックデータの送信用の繰り返し因数を（ＵＥ１０２を介して）決定することができる。ネットワークデバイス（例えば、ネットワークノード１０６）に送信される繰り返し因数は、チャネル品質データと異なるハイブリッド自動再送要求データに関連したものである。加えて、繰り返し因数を決定することに応答して、方法は、要素７０６において、ネットワークデバイス（例えば、ネットワークノード１０６）に繰り返し因数を（ＵＥ１０２を介して）送信することを含むことができる。
【００７３】
次に図８を参照すると、繰り返し因数を決定するノードデバイスの一例示のフロー図８００が示されている。システムは、要素８０２において、無線ネットワークのネットワークデバイス（例えば、ネットワークノード１０６）のアップリンク制御チャネルのアップリンクフィードバックに関連したアップリンクフィードバックデータを、無線ネットワークの第２のネットワークデバイス（例えば、ネットワークノード６０２）に送信するようにモバイルデバイス（例えば、ＵＥ１０２）を構成することを含むことができる。繰り返し値に関連した基準に基づいて、システムは、要素８０４において、第２のネットワークデバイス（例えば、ネットワークノード６０２）へのアップリンクフィードバックデータの送信を繰り返すためにモバイルデバイス（例えば、ＵＥ１０２）によって用いられる繰り返し値を決定することを含むことができる。第２のネットワークデバイス（例えば、ネットワークノード６０２）に送信される繰り返し値は、チャネル品質データと異なるハイブリッド自動再送要求データに関連したものである。さらに、繰り返し値を決定することに応答して、システムは、要素８０６において、繰り返し値をモバイルデバイス（例えば、ＵＥ１０２）に送信して、繰り返し値に従ってアップリンクフィードバックデータを送信することを容易にすることができる。
【００７４】
次に図９を参照すると、繰り返し因数を決定するモバイルデバイスの一例示のフロー図９００が示されている。要素９０２において、機械可読記憶媒体が、（例えば、ＵＥ１０２から）無線ネットワークのネットワークデバイス（例えば、ネットワークノード１０６）に送信されるチャネル品質データを求めることを容易にすることができる。アップリンク送信を介したネットワークデバイスへのフィードバックデータの送信とともに用いられる繰り返し因数に関連した基準を表す基準データに基づいて、機械可読記憶媒体は、要素９０４において、繰り返し因数を（例えば、ＵＥ１０２を介して）生成することを容易にすることができる。この繰り返し因数は、ハイブリッド自動再送要求データに関連したものである。要素９０６において、機械可読記憶媒体は、繰り返し因数を生成したことに応答して、繰り返し因数に従った（例えば、ＵＥ１０２を介した）送信を更に容易にすることができる。
【００７５】
次に図１０を参照すると、繰り返し因数を決定するモバイルデバイスの一例示のフロー図１０００が示されている。要素１００２において、機械可読記憶媒体が、（例えば、ＵＥ１０２から）無線ネットワークのネットワークデバイス（例えば、ネットワークノード１０６）に送信されるチャネル品質データを求めることを容易にすることができる。（例えば、ＵＥ１０２から）アップリンク送信を介したネットワークデバイス（例えば、ネットワークノード１０６）へのフィードバックデータの送信とともに用いられる繰り返し因数に関連した基準を表す基準データに基づいて、機械可読記憶媒体は、要素１００４において、繰り返し因数を生成することを容易にすることができる。この繰り返し因数は、ハイブリッド自動再送要求データに関連したものである。要素１００６において、機械可読記憶媒体は、繰り返し因数を生成したことに応答して、繰り返し因数に従った（例えば、ＵＥ１０２からの）送信を更に容易にすることができる。要素１００８において、機械可読記憶媒体は、受信機の比較結果に基づいて、第１の繰り返し因数よりも小さい第２の繰り返し因数を選択して、フィードバックデータをネットワークデバイス（例えば、ネットワークノード１０６）に送信することに関連した頻度を削減することを更に容易にすることができる。
【００７６】
次に図１１を参照すると、本明細書において説明される幾つかの実施形態に従ってネットワークに接続することが可能なモバイルデバイス１１００等の例示的なエンドユーザーデバイスの概略的なブロック図が示されている。モバイルハンドセット１１００が本明細書で示されているが、他のデバイスをモバイルデバイスとすることができること、及び、モバイルハンドセット１１００が、本明細書において説明される種々の実施形態のうちの実施形態についての状況を提供するために単に示されていることが理解されるであろう。以下の論述は、種々の実施形態を実施することができる、適した環境１１００の例についての簡潔で一般的な説明を提供することを意図される。説明は、機械可読記憶媒体上で具現化されるコンピューター実行可能命令の一般的な状況を含むが、革新を、他のプログラムモジュールと組み合わせて及び／又はハードウェア及びソフトウェアの組み合わせとしても実施することができることを当業者であれば認識するであろう。
【００７７】
一般に、アプリケーション（例えば、プログラムモジュール）は、特定のタスクを実行するか又は特定の抽象データタイプを実装する、ルーチン、プログラム、構成要素、データ構造等を含むことができる。さらに、本明細書において説明される方法は、それぞれを１つ以上の関連するデバイスに動作可能に結合することができる、単一プロセッサ又はマルチプロセッサシステム、ミニコンピューター、メインフレームコンピューター、及び、パーソナルコンピューター、ハンドヘルドコンピューティングデバイス、マイクロプロセッサベース又はプログラマブル消費者向け電子機器等を含む、他のシステム構成とともに実施することができることを当業者であれば理解するであろう。
【００７８】
コンピューティングデバイスは、通常、種々の機械可読媒体を含むことができる。機械可読媒体は、コンピューターによってアクセスすることができる任意の入手可能な媒体とすることができ、揮発性及び不揮発性媒体、取外し可能及び取外し不能媒体の双方を含む。限定としてではなく例として、コンピューター可読媒体は、コンピューター記憶媒体及び通信媒体を含むことができる。コンピューター記憶媒体は、コンピューター可読命令、データ構造、プログラムモジュール、又は他のデータ等の情報を記憶するための任意の方法又は技術で実装される、揮発性及び／又は不揮発性媒体、取外し可能及び／又は取外し不能媒体を含むことができる。コンピューター記憶媒体は、ＲＡＭ、ＲＯＭ、ＥＥＰＲＯＭ、フラッシュメモリ若しくは他のメモリ技術、ＣＤＲＯＭ、デジタルビデオディスク（ＤＶＤ）若しくは他の光ディスク記憶装置、磁気カセット、磁気テープ、磁気ディスク記憶装置若しくは他の磁気記憶デバイス、又は、所望の情報を記憶するために使用することができ、かつ、コンピューターによってアクセスすることができる任意の他の媒体を含むことができるが、それに限定されない。
【００７９】
通信媒体は、通常、搬送波又は他の搬送機構等の被変調データ信号において、コンピューター可読命令、データ構造、プログラムモジュール、又は他のデータを具現化し、任意の情報送達媒体を含む。用語「被変調データ信号（modulated data signal）」は、信号内に情報を符号化するように設定又は変更されたその特性のうちの１つ以上を有する当該信号を意味する。限定としてではなく例として、通信媒体は、有線ネットワーク又は直結される接続等の有線媒体、並びに、音響、ＲＦ、赤外線、及び他の無線媒体等の無線媒体を含む。上記のうちの任意のものの組み合わせも、コンピューター可読媒体の範囲に含まれるべきである。
【００８０】
ハンドセット１１００は、全てのオンボード動作及び機能を制御及び処理するためのプロセッサ１１０２を備える。メモリ１１０４は、データ及び１つ以上のアプリケーション１１０６（例えば、ビデオプレイヤーソフトウェア、ユーザーフィードバック構成要素ソフトウェア等）を記憶するためにプロセッサ１１０２にインターフェースする。他のアプリケーションは、ユーザーフィードバック信号の始動を容易にする所定の音声コマンドの音声認識を含むことができる。アプリケーション１１０６は、メモリ１１０４及び／又はファームウェア１１０８に記憶し、メモリ１１０４及び／又はファームウェア１１０８のいずれか又は双方からプロセッサ１１０２によって実行することができる。ファームウェア１１０８は、ハンドセット１１００を初期化するときに実行するためのスタートアップコードも記憶することができる。通信構成要素１１１０は、外部システム、例えば、セルラーネットワーク、ＶｏＩＰネットワーク等との有線／無線通信を容易にするためにプロセッサ１１０２にインターフェースする。ここで、通信構成要素１１１０は、対応する信号通信のために、適したセルラートランシーバー１１１１（例えば、ＧＳＭトランシーバー）及び／又は免許不要トランシーバー１１１３（例えば、Ｗｉ−Ｆｉ、ＷｉＭａｘ）も含むことができる。ハンドセット１１００は、セルラーフォン、モバイル通信能力を有するＰＤＡ、及びメッセージングセントリックデバイス等のデバイスとすることができる。また、通信構成要素１１１０は、地上無線ネットワーク（例えば、ブロードキャスト）、デジタル衛星無線ネットワーク、及びインターネットベース無線サービスネットワークからの通信受信を容易にする。
【００８１】
ハンドセット１１００は、テキスト、画像、ビデオ、電話機能（例えば、呼出し側ＩＤ機能）、セットアップ機能を表示するための、また、ユーザー入力のためのディスプレイ１１１２を備える。例えば、ディスプレイ１１１２は、マルチメディアコンテンツ（例えば、音楽メタデータ、メッセージ、壁紙、グラフィクス等）の提示を収容することができる「スクリーン（screen）」とも呼ぶことができる。ディスプレイ１１１２は、ビデオも表示することができ、ビデオクオート（video quotes）の生成、編集、及び共有を容易にすることができる。シリアルＩ／Ｏインターフェース１１１４は、プロセッサ１１０２と通信状態で設けられて、ハードワイヤ接続及び他のシリアル入力デバイス（例えば、キーボード、キーパッド、及びマウス）を通した有線及び／又は無線シリアル通信（例えば、ＵＳＢ及び／又はＩＥＥＥ  １３９４）を容易にする。これは、例えば、ハンドセット１１００を更新すること及びトラブルシューティングすることをサポートする。オーディオ能力は、オーディオＩ／Ｏ構成要素１１１６によって提供され、オーディオＩ／Ｏ構成要素１１１６は、例えば、ユーザーフィードバック信号を始動するために適切なキー又はキー組み合わせをユーザーが押したという指示に関連するオーディオ信号を出力するためのスピーカーを含むことができる。また、オーディオＩ／Ｏ構成要素１１１６は、データ及び／又は電話音声データを記録するために、また、電話会話のための音声信号を入力するために、マイクロフォンを通したオーディオ信号の入力を容易にする。
【００８２】
ハンドセット１１００は、カード型加入者識別モジュール（ＳＩＭ：Subscriber Identity Module）又はユニバーサルＳＩＭ１１２０のフォームファクターのＳＩＣ（加入者識別構成要素（Subscriber Identity Component））を収容するための、また、ＳＩＭカード１１２０をプロセッサ１１０２にインターフェースするためのスロットインターフェース１１１８を備えることができる。しかしながら、ＳＩＭカード１１２０をハンドセット１１００に入るように製造し、データ及びソフトウェアをダウンロードすることによって更新することができることが理解される。
【００８３】
ハンドセット１１００は、通信構成要素１１１０を通してＩＰデータトラフィックを処理して、ＩＳＰ又はブロードバンドケーブルプロバイダーを通して、例えば、インターネット、企業イントラネット、ホームネットワーク、パーソナルエリアネットワーク等のようなＩＰネットワークからＩＰトラフィックを収容することができる。そのため、ＶｏＩＰトラフィックを、ハンドセット１１００によって利用することができ、ＩＰベースマルチメディアコンテンツを、符号化フォーマット又は復号フォーマットで受信することができる。
【００８４】
ビデオ処理構成要素１１２２（例えば、カメラ）は、符号化されたマルチメディアコンテンツを復号するために設けることができる。ビデオ処理構成要素１１２２は、ビデオクオートの生成、編集、及び共有を容易にするのを支援することができる。ハンドセット１１００は、電池及び／又はＡＣ電力サブシステムの形態の電源１１２４も備え、その電源１１２４は、電力Ｉ／Ｏ構成要素１１２６によって外部電力システム又は充電機器（図示せず）にインターフェースすることができる。
【００８５】
ハンドセット１１００は、受信されたビデオコンテンツを処理し、ビデオコンテンツを記録及び送信するためのビデオ構成要素１１３０も含むことができる。例えば、ビデオ構成要素１１３０は、ビデオクオートの生成、編集、及び共有を容易にすることができる。ロケーショントラッキング構成要素１１３２は、ハンドセット１１００を地理的に位置特定することを容易にする。上記で説明したように、これは、ユーザーがフィードバック信号を自動的に又は手動で始動するときに起こり得る。ユーザー入力構成要素１１３４は、ユーザーが品質フィードバック信号を始動することを容易にする。ユーザー入力構成要素１１３４も、ビデオクオートの生成、編集、及び共有を容易にすることができる。ユーザー入力構成要素１１３４は、例えば、キーパッド、キーボード、マウス、スタイラスペン、及び／又は、タッチスクリーン等のこうした従来の入力デバイス技術を含むことができる。
【００８６】
再度アプリケーション１１０６を参照すると、ヒステリシス構成要素１１３６は、アクセスポイントに関連付けるときを決定するために利用されるヒステリシスデータの解析及び処理を容易にする。Ｗｉ−Ｆｉトランシーバー１１１３がアクセスポイントのビーコンを検出するとヒステリシス構成要素１１３８のトリガーを容易にするソフトウェアトリガー構成要素１１３８を設けることができる。ＳＩＰクライアント１１４０は、ハンドセット１１００が、ＳＩＰプロトコルをサポートし、ＳＩＰレジスターサーバーに加入者を登録することを可能にする。アプリケーション１１０６は、マルチメディアコンテンツ、例えば、音楽の、少なくとも発見、再生、及び記憶の能力を提供するクライアント１１４２も含むことができる。
【００８７】
ハンドセット１１００は、通信構成要素８１０に関連して上記で示したように、室内ネットワーク無線トランシーバー１１１３（例えば、Ｗｉ−Ｆｉトランシーバー）を備える。この機能は、デュアルモードＧＳＭハンドセット１１００についてＩＥＥＥ  ８０２．１１等の室内無線リンクをサポートする。ハンドセット１１００は、無線音声及びデジタル無線チップセットを組み合わせて単一ハンドヘルドデバイスにすることができるハンドセットを通して少なくとも衛星無線サービスを収容することができる。
【００８８】
次に図１２を参照すると、エンティティと第３者との間のトランザクションを確立することを容易にするシステムアーキテクチャを実行するように動作可能なコンピューター１２００のブロック図が示されている。コンピューター１２００は、有線又は無線通信ネットワークと、サーバー（例えばMicrosoft社のサーバー）及び／又は通信デバイスとの間のネットワーク接続及び通信能力を提供することができる。その種々の態様について更なる状況を提供するために、図１２及び以下の論述は、革新の種々の態様を実施して、エンティティと第３者との間のトランザクションの確立を容易にすることができる、適したコンピューティング環境の簡潔で一般的な説明を提供することを意図している。上記説明は、１つ以上のコンピューター上で実行することができるコンピューター実行可能命令の一般的な状況内にあるが、革新を、他のプログラムモジュールと組み合わせて及び／又はハードウェア及びソフトウェアの組み合わせとしても実施することができることを当業者であれば認識するであろう。
【００８９】
一般に、プログラムモジュールは、特定のタスクを実行するか又は特定の抽象データタイプを実装する、ルーチン、プログラム、構成要素、データ構造等を含む。さらに、本発明の方法は、それぞれを１つ以上の関連するデバイスに動作可能に結合することができる、単一プロセッサ又はマルチプロセッサコンピューターシステム、ミニコンピューター、メインフレームコンピューター、及び、パーソナルコンピューター、ハンドヘルドコンピューティングデバイス、マイクロプロセッサベース又はプログラマブル消費者向け電子機器等を備える、他のコンピューターシステム構成とともに実施することができることを当業者であれば理解するであろう。
【００９０】
革新の例示される態様は、或る特定のタスクが通信ネットワークを通してリンクされる遠隔処理デバイスによって実行される分散コンピューティング環境において実施することもできる。分散コンピューティング環境では、プログラムモジュールをローカルメモリ記憶デバイス及びリモートメモリ記憶デバイス内の双方に配置することができる。
【００９１】
コンピューティングデバイスは通常、種々の媒体を含み、それらの媒体はコンピューター可読記憶媒体又は通信媒体を含むことができ、その２つの用語は、以下のように、本明細書において互いに異なるように使用される。
【００９２】
コンピューター可読記憶媒体は、コンピューターによってアクセスすることができる任意の入手可能な記憶媒体とすることができ、揮発性及び不揮発性媒体、取外し可能及び取外し不能媒体の双方を含む。例であって、限定はしないが、コンピューター可読記憶媒体は、コンピューター可読命令、プログラムモジュール、構造化データ又は非構造化データ等の情報を記憶するための任意の方法又は技術に関連して実現することができる。コンピューター可読記憶媒体は、限定はしないが、ＲＡＭ、ＲＯＭ、ＥＥＰＲＯＭ、フラッシュメモリ若しくは他のメモリ技術、ＣＤ−ＲＯＭ、デジタルバーサタイルディスク（ＤＶＤ）若しくは他の光ディスク記憶装置、磁気カセット、磁気テープ、磁気ディスク記憶装置若しくは他の磁気記憶デバイス、又は所望の情報を記憶するために用いることができる他の有形及び／又は非一時的媒体を含むことができる。コンピューター可読記憶媒体は、媒体によって記憶される情報に関する種々の動作のために、例えば、アクセス要求、問い合わせ又は他のデータ検索プロトコルを介して、１つ以上のローカル若しくはリモートコンピューティングデバイスによってアクセスすることができる。
【００９３】
通信媒体は、被変調データ信号、例えば、搬送波又は他の搬送機構等のデータ信号において、コンピューター可読命令、データ構造、プログラムモジュール又は他の構造化若しくは非構造化データを具現化することができ、任意の情報送達又は搬送媒体を含む（正：include）。「被変調データ信号」又は信号という用語は、１つ以上の信号内に情報を符号化するように設定又は変更される特性のうちの１つ以上を有する信号を指している。例であって、限定はしないが、通信媒体は、有線ネットワーク又は直結される接続等の有線媒体、並びに、音響、ＲＦ、赤外線及び他の無線媒体等の無線媒体を含む。
【００９４】
図１２を参照すると、エンドユーザーデバイスに関して本明細書において説明される種々の態様を実装することは、処理ユニット１２０４、システムメモリ１２０６、及びシステムバス１２０８を備えるコンピューター１２００を含むことができる。システムバス１２０８は、限定はしないが、システムメモリ１２０６を備えるシステム構成要素を処理ユニット１２０４に結合する。処理ユニット１２０４は種々の市販のプロセッサのうちのいずれかとすることができる。処理ユニット１２０４として、デュアルマイクロプロセッサ及び他のマルチプロセッサアーキテクチャも利用することができる。
【００９５】
システムバス１２０８は、種々の市販のバスアーキテクチャのいずれかを用いて、メモリバス（メモリコントローラーを備えるか、又は備えない）、周辺機器用バス及びローカルバスに更に相互接続することができる幾つかのタイプのバス構造のいずれかとすることができる。システムメモリ１２０６は、リードオンリーメモリ（ＲＯＭ）１２２７及びランダムアクセスメモリ（ＲＡＭ）１２１２を含む。ＲＯＭ、ＥＰＲＯＭ、ＥＥＰＲＯＭ等の不揮発性メモリ１２２７内に基本入出力システム（ＢＩＯＳ）が記憶され、ＢＩＯＳは、起動中等に、コンピューター１２００内の要素間で情報を転送するのを助ける基本ルーチンを含む。ＲＡＭ１２１２は、データをキャッシュするためのスタティックＲＡＭ等の高速ＲＡＭも含むことができる。
【００９６】
コンピューター１２００は、適切なシャーシ（図示せず）において外部で使用するように構成することもできる内部ハードディスクドライブ（ＨＤＤ）１２１４（例えば、ＥＩＤＥ、ＳＡＴＡ）と、磁気フロッピーディスクドライブ（ＦＤＤ）１２１６（例えば、取外し可能ディスケット１２１８に対する読出し又は書込み用）と、光ディスクドライブ１２２０（例えば、ＣＤ−ＲＯＭディスク１２２２の読出し、又はＤＶＤのような他の大容量光学媒体に対する読出し若しくは書込み用）とを更に含む。ハードディスクドライブ１２１４、磁気ディスクドライブ１２１６及び光ディスクドライブ１２２０はそれぞれ、ハードディスクドライブインターフェース１２２４、磁気ディスクドライブインターフェース１２２６及び光ドライブインターフェース１２２８によって、システムバス１２０８に接続することができる。外部ドライブを実現するためのインターフェース１２２４は、ユニバーサルシリアルバス（ＵＳＢ）及びＩＥＥＥ１２９４インターフェース技術のうちの少なくとも一方又は双方を含む。他の外部ドライブ接続技術も本革新の考慮の範囲内にある。
【００９７】
ドライブ及びその関連するコンピューター可読媒体は、データ、データ構造、コンピューター実行可能命令等の不揮発性記憶を提供する。コンピューター１２００の場合、ドライブ及び媒体は、適切なデジタルフォーマットにおいて任意のデータの記憶に対応する。上記のコンピューター可読媒体の説明は、ＨＤＤ、取外し可能磁気ディスケット、及びＣＤ又はＤＶＤ等の取外し可能光媒体を参照するが、ジップドライブ、磁気カセット、フラッシュメモリカード、カートリッジ等の、コンピューター１２００によって読出し可能である他のタイプの媒体も例示的な動作環境において使用できること、更に任意のそのような媒体が、開示される革新の方法を実行するためのコンピューター実行可能命令を含むことができることは、当業者には理解されたい。
【００９８】
ドライブ及びＲＡＭ１２１２内に、オペレーティングシステム１２３０、１つ以上のアプリケーションプログラム１２３２、他のプログラムモジュール１２３４及びプログラムデータ１２３６を含む、複数のプログラムモジュールを記憶することができる。オペレーティングシステム、アプリケーション、モジュール及び／又はデータの全て又は一部をＲＡＭ１２１２にキャッシュすることもできる。革新は、種々の市販のオペレーティングシステム又はオペレーティングシステムの組み合わせとともに実施することができることが理解される。
【００９９】
ユーザーは、１つ以上の有線／無線入力デバイス、例えば、キーボード１２３８及びマウス１２４０等のポインティングデバイスを通して、コンピューター１２００にコマンド及び情報を入力することができる。他の入力デバイス（図示せず）は、マイクロフォン、ＩＲ遠隔制御、ジョイスティック、ゲームパッド、スタイラスペン、タッチスクリーン等を含むことができる。これらの入力デバイス及び他の入力デバイスは、多くの場合に、システムバス１２０８に結合される入力デバイスインターフェース１２４２を通して処理ユニット１２０４に接続されるが、パラレルポート、ＩＥＥＥ２３９４シリアルポート、ゲームポート、ＵＳＢポート、ＩＲインターフェース等の他のインターフェースによって接続することもできる。
【０１００】
モニター１２４４又は他のタイプのディスプレイデバイスも、ビデオアダプター１２４６等のインターフェースを介して、システムバス１２０８に接続される。モニター１２４４に加えて、コンピューター１２００は通常、スピーカー、プリンター等の他の周辺出力デバイス（図示せず）を含む。
【０１０１】
コンピューター１２００は、リモートコンピューター（複数の場合もある）１２４８等の１つ以上のリモートコンピューターとの有線及び／又は無線通信を介しての論理接続を用いてネットワーク化された環境において動作することができる。リモートコンピューター（複数の場合もある）１２４８は、ワークステーション、サーバーコンピューター、ルーター、パーソナルコンピューター、ポータブルコンピューター、マイクロプロセッサ内蔵娯楽機器、ピアデバイス又は他の共通ネットワークノードとすることができ、通常、コンピューターに関して説明される要素の多く又は全てを備えるが、簡潔にするために、１つのメモリ／記憶デバイス１２５０のみが示されている。図示される論理接続は、ローカルエリアネットワーク（ＬＡＮ）１２５２及び／又はより大きなネットワーク、例えば、ワイドエリアネットワーク（ＷＡＮ）１２５４への有線／無線接続を含む。そのようなＬＡＮ及びＷＡＮネットワーク化環境はオフィス及び企業では一般的であり、その全てがグローバル通信ネットワーク、例えば、インターネットに接続することができるイントラネット等の企業規模のコンピューターネットワークを容易にする。
【０１０２】
ＬＡＮネットワーク化環境において用いられるときに、コンピューター１２００は、有線及び／又は無線通信ネットワークインターフェース又はアダプター１２５６を通して、ローカルネットワーク１２５２に接続される。アダプター１２５６は、ＬＡＮ１２５２との有線又は無線通信を容易にすることができ、ＬＡＮは、そこに配置され、無線アダプター１２５６と通信するための無線アクセスポイントも含むことができる。
【０１０３】
ＷＡＮネットワーク化環境において用いられるときに、コンピューター１２００は、モデム１２５８を含むことができるか、又はＷＡＮ１２５４上の通信サーバーに接続されるか、又は例えばインターネットによって、ＷＡＮ１２５４を介して通信を確立するための他の手段を有する。モデム１２５８は、内部又は外部、及び有線又は無線デバイスとすることができ、入力デバイスインターフェース１２４２を介して、システムバス１２０８に接続される。ネットワーク化された環境では、コンピューターに関して図示されるプログラムモジュール又はその一部は、リモートメモリ／記憶デバイス１２５０に記憶することができる。図示されるネットワーク接続は例であり、コンピューター間に通信リンクを確立する他の手段を用いることができることは理解されよう。
【０１０４】
コンピューターは、無線通信において動作可能に配置される任意の無線デバイス又はエンティティ、例えば、プリンター、スキャナー、デスクトップ及び／又はポータブルコンピューター、ポータブルデータアシスタント、通信衛星、無線で検出可能なタグに関連付けられる任意の機器又は場所（例えば、キオスク、ニューススタンド、化粧室）、及び電話と通信するように動作可能である。これは、少なくともＷｉ−Ｆｉ及びＢｌｕｅｔｏｏｔｈ（商標）無線技術を含む。このようにして、通信は、従来のネットワーク、又は単に少なくとも２つのデバイス間のアドホック通信の場合のような規定された構造とすることができる。
【０１０５】
Ｗｉ−Ｆｉ、すなわちワイヤレスフィディリティによって、自宅の長椅子から、ホテルの部屋のベッドから、又は仕事中に会議室から、無線でインターネットに接続できるようになる。Ｗｉ−Ｆｉは携帯電話において使用されるのに類似の無線技術であり、それにより、そのようなデバイス、例えば、コンピューターが、基地局の範囲内の屋内外いずれの場所にもデータを送信及び受信できるようになる。Ｗｉ−Ｆｉネットワークは、安全で、信頼性があり、高速の無線接続性を提供するために、ＩＥＥＥ８０２．１１（ａ、ｂ、ｇ等）と呼ばれる無線技術を使用する。Ｗｉ−Ｆｉネットワークを用いて、コンピューターを互いに、インターネットに、そして有線ネットワーク（ＩＥＥＥ８０２．３又はＥｔｈｅｒｎｅｔを使用する）に接続することができる。Ｗｉ−Ｆｉネットワークは、例えば、免許不要２．４ＧＨｚ及び５ＧＨｚ無線帯域において、１１Ｍｂｐｓ（８０２．１１ａ）若しくは５４Ｍｂｐｓ（８０２．１１ｂ）データレートで動作するか、又は双方の帯域（デュアルバンド）を含む製品を用いて動作するので、ネットワークは、多くのオフィスにおいて使用される基本「１０ＢａｓｅＴ」有線Ｅｔｈｅｒｎｅｔネットワークに類似の実世界性能を提供することができる。
【０１０６】
一般に、ＵＥフィードバック情報（例えば、ＨＡＲＱ  ＡＣＫ／ＮＡＫ及びＣＱＩ）の繰り返し因数を或る特定の固定値に構成することが通常行われていることである。例えば、ネットワークは、これらの値のうちの１つを既定の一組の値から構成し、ＵＥにシグナリングする。しかしながら、全てのＵＥに対して固定値を構成することは、常に有益であるとは限らない。幾つかのシナリオ又は状況では、固定の繰り返し因数は、性能劣化をもたらす可能性があり、不要な繰り返しに起因してアップリンクリソースを浪費する可能性もある。したがって、固定の繰り返し因数は、ネットワークが適応変調符号化の利益を十分に利用することを常に可能にするとは限らない場合がある。
【０１０７】
要約書において記述されることを含む、本開示の例示される実施形態の上記の記述は、網羅的に述べることを意図するものではなく、開示される実施形態を開示されるのと全く同じ形態に限定することを意図するものでもない。例示のために、本明細書において具体的な実施形態及び例が記述されるが、当業者が認識できるような、そのような実施形態及び例の範囲内で考えられる種々の変更が可能である。
【０１０８】
この関連で、主題は種々の実施形態及び対応する図に関連して本明細書において記述されてきたが、適用可能な場合には、開示される主題から逸脱することなく、他の類似の実施形態を用いることができるか、又は開示される主題の同じ機能、類似の機能、代替機能又は代用機能を実行するために記述される実施形態に対して変更を加えること及び追加することができることは理解されたい。それゆえ、開示される主題は、本明細書において記述される任意の単一の実施形態に限定されるべきではなく、以下に添付の特許請求の範囲による広さ及び範囲内で解釈されるべきである。
【図１】
2020533867.tif 000003
【図２】
2020533867.tif 000004
【図３】
2020533867.tif 000005
【図４】
2020533867.tif 000006
【図５】
2020533867.tif 000007
【図６】
2020533867.tif 000008
【図７】
2020533867.tif 000009
【図８】
2020533867.tif 000010
【図９】
2020533867.tif 000011
【図１０】
2020533867.tif 000012
【図１１】
2020533867.tif 000013
【図１２】
2020533867.tif 000014
【国際調査報告】
2020533867.tif 000015
2020533867.tif 000016